(57)【要約】【課題】特色（オレンジ、グリーン、バイオレット）を調製する際にも、高濃度で、色全体のコントラストが良好なインク組成物、及び、高感度で硬化するとともに、高濃度で、光堅牢性に優れ、良好な色調の画像を形成しうるインク及びそれを用いたインクセットを提供する。【解決手段】保存安定性が良好で、光堅牢性に優れ、良好な色調の画像を形成しうるインク組成物、特に、長期間の使用においてもノズル詰まり等の発生が抑制され、保存安定性、吐出安定性に優れた、インクジェット記録用として有用なインクを提供すること。また保存安定性が良好で、光堅牢性に優れ、良好な色調の画像を形成しうるインクを用いたインクセットを提供すること。【選択図】なし【特許請求の範囲】
【請求項１】
重合性化合物、重合開始剤、顔料、および下記一般式（Ｉ）〜（VII）で表される油溶性染料のうち少なくとも１種を含有し、該顔料のａ＊値と該油溶性染料のａ＊値の差の絶対値、又は、該顔料のｂ＊値と該油溶性染料のｂ＊値の差の絶対値が６０以上であるインク組成物。
【化１】
2009235137.tif 000077
［一般式（Ｉ）中、Ｙ１、Ｙ２、Ｚ１、Ｚ２、およびＲ１〜Ｒ５は、各々独立に、水素原子又は１価の置換基を表す。Ｘ１およびＸ２は、各々独立に、ハメットのσｐ値が０．２０以上の一価の電子吸引性基を表す。］
【化２】
2009235137.tif 000078
［一般式（II）中、Ｒ１１、Ｒ１３及びＲ１４は、各々独立に、置換若しくは無置換のアルキル基、置換若しくは無置換のアリール基、又は、置換若しくは無置換のヘテロアリール基を表し、Ｒ１２及びＲ１５は、各々独立に、水素原子又は１価の置換基を表す。ここで、Ｒ１３及びＲ１４は互いに結合して５員複素環又は６員複素環を形成してもよい。Ｚ１、Ｚ２、Ｚ３、及びＺ４は、各々独立に、水素原子又は１価の置換基を表す。ここで、Ｚ１とＺ２、Ｚ3とＺ4とが、それぞれ互いに結合して５員環又は６員環を形成してもよい。］
【化３】
2009235137.tif 000079
［一般式（ＩＩＩ）中、Ｒ１１、Ｒ１２、Ｒ１３、Ｒ１４およびＲ１５は、各々独立に、水素原子又は１価の置換基を表わす。Ｒ１６およびＲ１７は各々独立に、置換若しくは無置換のアルキル基、置換若しくは無置換のアリール基、または置換若しくは無置換のヘテロアリール基を表し、互いに結合して環を形成してもよい。］
【化４】
2009235137.tif 000080
［一般式（IV）中、Ａは、５員複素環ジアゾ成分Ａ−ＮＨ２の残基を表す。Ｂ１は窒素原子、又は−ＣＲ１＝を表し、Ｂ２は、窒素原子又は−ＣＲ２＝を表し、Ｂ１及びＢ２が同時に窒素原子であることはない。ここで、Ｒ１およびＲ２は、各々独立に、水素原子、ハロゲン原子、又は１価の置換基を表す。
Ｒ３およびＲ４は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表す。
Ｒ１とＲ３、Ｒ３とＲ４はそれぞれ互いに結合して５員環または６員環を形成してもよい。
ａおよびｅは各々独立に、アルキル基、アルコキシ基またはハロゲン原子を表し、aおよびeが共にアルキル基である場合、該アルキル基を構成する炭素数の合計は２以上である。
ｂ、ｃおよびｄは、前記Ｒ１およびＲ２と同義であり、ａとｂ、ｅとｄは、それぞれ互いに結合して縮環構造を形成してもよい。］
【化５】
2009235137.tif 000081
［一般式（V）中、Ｑ１〜Ｑ４、Ｐ１〜Ｐ４、Ｗ１〜Ｗ４、およびＲ１〜Ｒ４は、各々独立に、（＝Ｃ（Ｊ1）−及び／または−Ｎ＝）、（＝Ｃ（Ｊ2）−及び／または−Ｎ＝）、（＝Ｃ（Ｊ３）−及び／または−Ｎ＝）、（＝Ｃ（Ｊ4）−及び／または−Ｎ＝）を表す。Ｊ１〜Ｊ４は、各々独立に、水素原子及び／または置換基を表す。但し、（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の４つ全てが同時に芳香族環になることはない。しかし、その環の４つ全てが同時にピリジン環の場合は、Ｑ1及びＲ1の何れか一方が窒素原子、Ｑ2及びＲ2の何れか一方が窒素原子、Ｑ3及びＲ3の何れか一方が窒素原子、及びＱ４及びＲ4の何れか一方が窒素原子であるピリジン環は除く。さらに、その環の４つ全てが同時にピラジン環の場合は除く。
また、Ｊ1〜Ｊ4が置換基を表す場合は、更に置換基を有してもよい。Ｊ１〜Ｊ４のうち少なくとも１つは、あるいはＪ１〜Ｊ４が有する置換基のうち少なくとも１つは炭素数２以上の置換基を有し、且つ、Ｊ1〜Ｊ4の置換基の炭素数の総和が８以上であり、分子中にイオン性親水性基を含まない。Ｍは、水素原子、金属原子、金属酸化物、金属水酸化物、または金属ハロゲン化物を表す。］
【化６】
2009235137.tif 000082
【化７】
2009235137.tif 000083
［一般式（ＶI）および（VII)中、Ｍは水素原子、金属原子、金属酸化物、金属水酸化物または金属ハロゲン化物を表す。Ｐｃは、（ｋ＋ｌ＋ｍ＋ｎ）価の一般式（ＶII）で表されるフタロシアニン核を表す。Ｘ１、Ｘ２、Ｘ３、およびＸ４は各々独立に、−ＳＯ−Ｒ１、−ＳＯ２−Ｒ１、−ＳＯ２ＮＲ２Ｒ３、−ＣＯＮＲ２Ｒ３、−ＣＯ２−Ｒ１、又はＣＯ−Ｒ１を表し、かつ、フタロシアニン核中の４つのベンゼン環｛一般式（ＶII）中のＡ、Ｂ、Ｃ、Ｄ｝に、それぞれ少なくとも１個以上存在する。但し、Ｘ１、Ｘ２、Ｘ３およびＸ４がすべて同一であることはなく、かつ、Ｘ１、Ｘ２、Ｘ３およびＸ４の少なくとも１つは炭素数２以上の置換基であり、かつ、Ｘ１、Ｘ２、Ｘ３、及びＸ４で表される置換基の炭素数の総和が８以上であり、かつ、分子中にイオン性親水性基を含まない。Ｒ１は置換もしくは無置換のアルキル基、置換もしくは無置換のアリール基、または置換もしくは無置換のヘテロ環基を表す。Ｒ２は水素原子、置換もしくは無置換のアルキル基、置換もしくは無置換のアリール基、または置換もしくは無置換のヘテロ環基を表す。Ｒ３は置換もしくは無置換のアルキル基、置換もしくは無置換のアリール基、または置換もしくは無置換のヘテロ環基を表す。ｋ、ｌ、ｍ、およびｎは、０＜ｋ＜８の整数を表し、０＜ｌ＜８の整数を表し、０≦ｍ＜８の整数を表し、０≦ｎ＜８の整数を表す。但し、ｋ、ｌ、ｍ、およびｎは４≦ｋ＋ｌ＋ｍ＋ｎ≦８を満たす数を表す。
Ｙ１、Ｙ２、Ｙ３、Ｙ４、Ｙ５、Ｙ６、Ｙ７およびＹ８は各々独立に、水素原子又は１価の置換基を表す。この１価の置換基は、各々さらに置換基を有していてもよい。］
【請求項２】
Ｌ＊ａ＊ｂ＊値がＬ＊＝５０〜９０、ａ＊＝２５〜７５、ｂ＊＝５５〜１０５であるオレンジインクであることを特徴とする請求項１記載のインク組成物。
【請求項３】
Ｌ＊ａ＊ｂ＊値がＬ＊＝４０〜８０、ａ＊＝−１０５〜−５５、ｂ＊＝−１５〜３５であるグリーンインクであることを特徴とする請求項１記載のインク組成物。
【請求項４】
Ｌ＊ａ＊ｂ＊値がＬ＊＝１０〜５０、ａ＊＝３５〜８５、ｂ＊＝−９０〜−４０であるバイオレットインクであることを特徴とする請求項１記載のインク組成物。
【請求項５】
油溶性染料として前記一般式（Ｉ）〜前記一般式（IV）で表される油溶性染料のうち少なくとも１種を含むことを特徴とする請求項２記載のインク組成物。
【請求項６】
油溶性染料として前記一般式（Ｉ）〜一般式（III）および一般式（V）〜一般式（VII）で表される油溶性染料のうち少なくとも１種を含むことを特徴とする請求項３記載のインク組成物。
【請求項７】
油溶性染料として前記一般式（IV）〜一般式（VII）で表される油溶性染料のうち少なくとも１種を含むことを特徴とする請求項４記載のインク組成物。
【請求項８】
請求項１〜請求項７のいずれか１項に記載のインク組成物を用いることを特徴とするインクジェット用インク。
【請求項９】
請求項８に記載のインクを用いたインクセット。
【発明の詳細な説明】
【技術分野】
【０００１】
本発明は、インク組成物、インクジェット用インクおよびそれを用いたインクセットに関する。
【背景技術】
【０００２】
近年、画像記録材料としては、特にカラー画像を形成するための材料が主流であり、具体的には、インクジェット方式記録材料、感熱転写型画像記録材料、電子写真方式を用いる記録材料等が盛んに利用されている。インクジェット記録方法は、材料費が安価であること、高速記録が可能なこと、記録時の騒音が少ないこと、更にカラー記録が容易であることから、急速に普及し、更に発展しつつある。
【０００３】
一般にインクジェット方式記録材料等に使用されている水性のインク組成物は、普通紙に印字した場合に耐水性が劣ったり、滲みが生じやすく、更に、プラスチックなど非吸水性の被記録媒体に印字した場合には、インク液滴の付着が悪いために画像形成ができなかったり、溶剤の乾燥が極めて遅いために印字直後には記録物を重ねずに乾燥させる必要があったり、画像がにじみやすいといった欠点があった。
【０００４】
インクの乾燥性を解決するために、インクの溶剤として揮発性の有機溶剤を用いる方法が用いられてきたが、急速に乾燥させるためにはメチルエチルケトン及びエタノールなどの、揮発性の非常に高い溶剤を主成分として用いる必要があった。
有機溶媒を用いる方法としては着色成分として顔料を用いる方法が知られている。（特許文献１参照）。しかし当該方法は、微粒子の顔料を分散させて用いているため、顔料の凝集が発生し易くインクジェットノズルが目詰りしたりするので、安定してインクを吐出させることが困難であったり、またインクを長期保存すると凝集等が発生し易いという問題も内在していた。
【０００５】
更に、着色成分に顔料を用いると透明性が劣り、色調が不十分であるために希望するカラー画質を得ることが困難であるという問題も有していた。
【０００６】
また高画質、高耐水性および高耐光性を得るために、油溶性染料を用いたインク組成物が提案されている。（例えば、特許文献２参照）しかし、光堅牢性については、顔料よりも劣る傾向がある。
【特許文献１】特開平５−２１４２７９号公報
【特許文献２】特開２００３−２２１５３０号公報
【発明の開示】
【発明が解決しようとする課題】
【０００７】
本発明は、顔料と油溶性染料として互いに異なる色特性を有するものを組み合わせることで、特色（オレンジ、グリーン、バイオレット）の濃度を高め、色全体のコントラスト向上させるインク組成物、特にインクジェット記録用として有用なインクを提供することを目的とする。
さらに本発明は、高感度で硬化するとともに、高濃度で、光堅牢性に優れ、良好な色調の画像を形成しうるインクを用いたインクセットを提供することを目的とする。
【課題を解決するための手段】
【０００８】
本発明者らは、顔料に加えて、耐光性に優れた油溶性の特定構造の染料を着色成分として併用することにより、前記課題を解決することを見出した。本発明の構成とすることで、特に従来の顔料のみを利用したインクと比較し、高濃度化することが可能となり、かつ色相の調整が容易であり、コントラストも向上させることが可能となる。
すなわち、前記課題を解決するための手段は、以下の通りである。
【０００９】
＜１＞  重合性化合物、重合開始剤、顔料、および下記一般式（Ｉ）〜（VII）で表される油溶性染料のうち少なくとも１種を含有し、該顔料のａ＊値と該油溶性染料のａ＊値の差の絶対値、又は、該顔料のｂ＊値と該油溶性染料のｂ＊値の差の絶対値が６０以上であるインク組成物。
【００１０】
【化１】
2009235137.tif 000002
【００１１】
［一般式（Ｉ）中、Ｙ１、Ｙ２、Ｚ１、Ｚ２、およびＲ１〜Ｒ５は、各々独立に、水素原子又は１価の置換基を表す。Ｘ１およびＸ２は、各々独立に、ハメットのσｐ値が０．２０以上の一価の電子吸引性基を表す。］
【００１２】
【化２】
2009235137.tif 000003
【００１３】
［一般式（II）中、Ｒ１１、Ｒ１３及びＲ１４は、各々独立に、置換若しくは無置換のアルキル基、置換若しくは無置換のアリール基、又は、置換若しくは無置換のヘテロアリール基を表し、Ｒ１２及びＲ１５は、各々独立に、水素原子又は１価の置換基を表す。ここで、Ｒ１３及びＲ１４は互いに結合して５員複素環又は６員複素環を形成してもよい。Ｚ１、Ｚ２、Ｚ３、及びＺ４は、各々独立に、水素原子又は１価の置換基を表す。ここで、Ｚ１とＺ２、Ｚ3とＺ4とが、それぞれ互いに結合して５員環又は６員環を形成してもよい。］
【００１４】
【化３】
2009235137.tif 000004
【００１５】
［一般式（ＩＩＩ）中、Ｒ１１、Ｒ１２、Ｒ１３、Ｒ１４およびＲ１５は、各々独立に、水素原子又は１価の置換基を表わす。Ｒ１６およびＲ１７は各々独立に、置換若しくは無置換のアルキル基、置換若しくは無置換のアリール基、または置換若しくは無置換のヘテロアリール基を表し、互いに結合して環を形成してもよい。］
【００１６】
【化４】
2009235137.tif 000005
【００１７】
［一般式（IV）中、Ａは、５員複素環ジアゾ成分Ａ−ＮＨ２の残基を表す。Ｂ１は窒素原子、又は−ＣＲ１＝を表し、Ｂ２は、窒素原子又は−ＣＲ２＝を表し、Ｂ１及びＢ２が同時に窒素原子であることはない。ここで、Ｒ１およびＲ２は、各々独立に、水素原子、ハロゲン原子、又は１価の置換基を表す。
Ｒ３およびＲ４は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表す。
Ｒ１とＲ３、Ｒ３とＲ４はそれぞれ互いに結合して５員環または６員環を形成してもよい。
ａおよびｅは各々独立に、アルキル基、アルコキシ基またはハロゲン原子を表し、aおよびeが共にアルキル基である場合、該アルキル基を構成する炭素数の合計は２以上である。
ｂ、ｃおよびｄは、前記Ｒ１およびＲ２と同義であり、ａとｂ、ｅとｄは、それぞれ互いに結合して縮環構造を形成してもよい。］
【００１８】
【化５】
2009235137.tif 000006
【００１９】
［一般式（V）中、Ｑ１〜Ｑ４、Ｐ１〜Ｐ４、Ｗ１〜Ｗ４、およびＲ１〜Ｒ４は、各々独立に、（＝Ｃ（Ｊ1）−及び／または−Ｎ＝）、（＝Ｃ（Ｊ2）−及び／または−Ｎ＝）、（＝Ｃ（Ｊ３）−及び／または−Ｎ＝）、（＝Ｃ（Ｊ4）−及び／または−Ｎ＝）を表す。Ｊ１〜Ｊ４は、各々独立に、水素原子及び／または置換基を表す。但し、（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の４つ全てが同時に芳香族環になることはない。しかし、その環の４つ全てが同時にピリジン環の場合は、Ｑ1及びＲ1の何れか一方が窒素原子、Ｑ2及びＲ2の何れか一方が窒素原子、Ｑ3及びＲ3の何れか一方が窒素原子、及びＱ４及びＲ4の何れか一方が窒素原子であるピリジン環は除く。さらに、その環の４つ全てが同時にピラジン環の場合は除く。
また、Ｊ1〜Ｊ4が置換基を表す場合は、更に置換基を有してもよい。Ｊ１〜Ｊ４のうち少なくとも１つは、あるいはＪ１〜Ｊ４が有する置換基のうち少なくとも１つは炭素数２以上の置換基を有し、且つ、Ｊ1〜Ｊ4の置換基の炭素数の総和が８以上であり、分子中にイオン性親水性基を含まない。Ｍは、水素原子、金属原子、金属酸化物、金属水酸化物、または金属ハロゲン化物を表す。］
【００２０】
【化６】
2009235137.tif 000007
【００２１】
【化７】
2009235137.tif 000008
【００２２】
［一般式（ＶI）および（VII)中、Ｍは水素原子、金属原子、金属酸化物、金属水酸化物または金属ハロゲン化物を表す。Ｐｃは、（ｋ＋ｌ＋ｍ＋ｎ）価の一般式（ＶII）で表されるフタロシアニン核を表す。Ｘ１、Ｘ２、Ｘ３、およびＸ４は各々独立に、−ＳＯ−Ｒ１、−ＳＯ２−Ｒ１、−ＳＯ２ＮＲ２Ｒ３、−ＣＯＮＲ２Ｒ３、−ＣＯ２−Ｒ１、又はＣＯ−Ｒ１を表し、かつ、フタロシアニン核中の４つのベンゼン環｛一般式（ＶII）中のＡ、Ｂ、Ｃ、Ｄ｝に、それぞれ少なくとも１個以上存在する。但し、Ｘ１、Ｘ２、Ｘ３およびＸ４がすべて同一であることはなく、かつ、Ｘ１、Ｘ２、Ｘ３およびＸ４の少なくとも１つは炭素数２以上の置換基であり、かつ、Ｘ１、Ｘ２、Ｘ３、及びＸ４で表される置換基の炭素数の総和が８以上であり、かつ、分子中にイオン性親水性基を含まない。Ｒ１は置換もしくは無置換のアルキル基、置換もしくは無置換のアリール基、または置換もしくは無置換のヘテロ環基を表す。Ｒ２は水素原子、置換もしくは無置換のアルキル基、置換もしくは無置換のアリール基、または置換もしくは無置換のヘテロ環基を表す。Ｒ３は置換もしくは無置換のアルキル基、置換もしくは無置換のアリール基、または置換もしくは無置換のヘテロ環基を表す。ｋ、ｌ、ｍ、およびｎは、０＜ｋ＜８の整数を表し、０＜ｌ＜８の整数を表し、０≦ｍ＜８の整数を表し、０≦ｎ＜８の整数を表す。但し、ｋ、ｌ、ｍ、およびｎは４≦ｋ＋ｌ＋ｍ＋ｎ≦８を満たす数を表す。
Ｙ１、Ｙ２、Ｙ３、Ｙ４、Ｙ５、Ｙ６、Ｙ７およびＹ８は各々独立に、水素原子又は１価の置換基を表す。この１価の置換基は、各々さらに置換基を有していてもよい。］
【００２３】
＜２＞  Ｌ＊ａ＊ｂ＊値がＬ＊＝５０〜９０、ａ＊＝２５〜７５、ｂ＊＝５５〜１０５であるオレンジインクであることを特徴とする＜１＞記載のインク組成物。
＜３＞  Ｌ＊ａ＊ｂ＊値がＬ＊＝４０〜８０、ａ＊＝−１０５〜−５５、ｂ＊＝−１５〜３５であるグリーンインクであることを特徴とする＜１＞記載のインク組成物。
＜４＞  Ｌ＊ａ＊ｂ＊値がＬ＊＝１０〜５０、ａ＊＝３５〜８５、ｂ＊＝−９０〜−４０であるバイオレットインクであることを特徴とする＜１＞記載のインク組成物。
【００２４】
＜５＞  油溶性染料として前記一般式（Ｉ）〜前記一般式（IV）で表される油溶性染料のうち少なくとも１種を含むことを特徴とする＜２＞記載のインク組成物。
＜６＞  油溶性染料として前記一般式（Ｉ）〜一般式（III）および一般式（V）〜一般式（VII）で表される油溶性染料のうち少なくとも１種を含むことを特徴とする＜３＞記載のインク組成物。
＜７＞  油溶性染料として前記一般式（IV）〜一般式（VII）で表される油溶性染料のうち少なくとも１種を含むことを特徴とする＜４＞記載のインク組成物。
＜８＞  ＜１＞〜＜７＞のいずれか１項に記載のインク組成物を用いることを特徴とするインクジェット用インク。
＜９＞  ＜８＞に記載のインクを用いたインクセット。
【発明の効果】
【００２５】
本発明によれば、高感度で硬化するとともに、高濃度で、光堅牢性に優れ、良好な色調の画像を形成しうるインク組成物、特にインクジェット記録用として有用なインクを提供することができる。
さらに本発明によれば、高感度で硬化するとともに、高濃度で、光堅牢性に優れ、良好な色調の画像を形成しうるインクを用いたインクセットを提供することができる。
【発明を実施するための最良の形態】
【００２６】
本発明のインク組成物は、重合性化合物、重合開始剤、顔料、および下記一般式（Ｉ）〜（VII）で表される油溶性染料のうち少なくとも１種を含有し、該顔料のａ＊値と該油溶性染料のａ＊値の差の絶対値、又は、該顔料のｂ＊値と該油溶性染料のｂ＊値の差の絶対値が６０以上である事を特徴とする。即ち、着色剤として、ａ＊値又はｂ＊値の互いに異なる顔料と油溶性染料とを組み合わせて含有することで、光硬化性が良好でありながら、従来の顔料のみを利用したインク組成物と比較して、高濃度化することが可能となり、かつコントラストも向上させることができる。
本発明のインク組成物は、放射線の照射により硬化が可能である。ここで、本発明で言う「放射線」とは、その照射により組成物中において開始種を発生させうるエネルギーを付与することができるものであれば、特に制限はなく、広くα線、γ線、Ｘ線、紫外線、可視光線、電子線などを包含するものである。中でも、硬化感度及び装置の入手容易性の観点からは、紫外線及び電子線が好ましく、特に紫外線が好ましい。従って、本発明のインク組成物としては、放射線として、紫外線を照射することにより硬化可能なインク組成物であることが好ましい。
以下、本発明を構成する各成分について説明する。
【００２７】
［油溶性染料］
本発明のインク組成物は、一般式（Ｉ）〜一般式（ＶＩＩ）で表される化合物のうち、少なくとも１種を含有する油溶性染料（以下適宜、特定油溶性染料と称する場合がある。）を含有する。
以下、一般式（Ｉ）〜（ＶＩＩ）で表される化合物について説明する。
【００２８】
＜一般式（Ｉ）で表される化合物＞
【００２９】
【化８】
2009235137.tif 000009
【００３０】
一般式（Ｉ）中、Ｙ１、Ｙ２、Ｚ１、Ｚ２、およびＲ１〜Ｒ５は、各々独立に、水素原子又は１価の置換基を表す。Ｘ１およびＸ２は、各々独立に、ハメットのσｐ値が０．２０以上の一価の電子吸引性基を表す。
【００３１】
１価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、またはイミド基等を挙げることができ、各々はさらに置換基を有していてもよい。以下に前記１価の置換基を更に詳しく説明する。
【００３２】
ハロゲン原子は、塩素原子、臭素原子、またはヨウ素原子を表す。中でも塩素原子、または臭素原子が好ましく、特に塩素原子が好ましい。
【００３３】
アルキル基は、置換もしくは無置換のアルキル基が含まれる。置換又は無置換のアルキル基は、炭素原子数が１〜３０のアルキル基が好ましい。更に置換基を有することが可能な基であるときの置換基の例としては、炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、
【００３４】
スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【００３５】
シクロアルキル基は、置換もしくは無置換のシクロアルキル基が含まれる。置換基又は無置換のシクロアルキル基は、炭素原子数が５〜３０のシクロアルキル基が好ましい。置換基の例としては、前述のアルキル基が更に置換基を有することが可能な基であるときに挙げたような置換基と同じものが挙げられる。前記シクロアルキル基の例にはシクロヘキシル、シクロペンチル、または４−ｎ−ドデシルシクロヘキシルを挙げることができる。
【００３６】
アラルキル基は、置換もしくは無置換のアラルキル基が含まれる。置換もしくは無置換のアラルキル基としては、炭素原子数が７〜３０のアラルキル基が好ましい。置換基の例としては、前述のアルキル基が更に置換基を有することが可能な基であるときに挙げたような置換基と同じものが挙げられる。前記アラルキルの例にはベンジルおよび２−フェネチルを挙げることができる。
【００３７】
アルケニル基は、直鎖、分岐、環状の置換もしくは無置換のアルケニル基を表す。好ましくは炭素数２−３０の置換又は無置換のアルケニル基、例えば、ビニル、アリル、プレニル、ゲラニル、オレイル、２−シクロペンテンー１−イル、２−シクロヘキセンー１−イルなどを挙げることができる。
【００３８】
アルキニル基は、炭素数２から３０の置換又は無置換のアルキニル基であり、例えば、エチニル、またはプロパルギルを挙げることができる。
【００３９】
アリール基は、炭素数６から３０の置換もしくは無置換のアリール基、例えばフェニル、ｐ−トリル、ナフチル、ｍ−クロロフェニル、またはｏ−ヘキサデカノイルアミノフェニルである。置換基の例としては、前述のアルキル基が更に置換基を有することが可能な基であるときに挙げたような置換基と同じものが挙げられる。
【００４０】
ヘテロ環基は、５又は６員の置換もしくは無置換の、芳香族もしくは非芳香族のヘテロ環化合物から一個の水素原子を取り除いた一価の基であり、それらは更に縮環していてもよい。更に好ましくは、炭素数３から３０の５もしくは６員の芳香族のヘテロ環基である。  
置換基の例としては、前述のアルキル基が更に置換基を有することが可能な基であるときに挙げたような置換基と同じものが挙げられる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００４１】
アルコキシ基は、置換もしくは無置換のアルコキシ基が含まれる。置換もしくは無置換のアルコキシ基としては、炭素原子数が１〜３０のアルコキシ基が好ましい。置換基の例としては、前述のアルキル基が更に置換基を有することが可能な基であるときに挙げたような置換基と同じものが挙げられる。前記アルコキシ基の例には、メトキシ、エトキシ、イソプロポキシ、ｎ−オクチルオキシ、メトキシエトキシ、ヒドロキシエトキシおよび３−カルボキシプロポキシなどを挙げることができる。
【００４２】
アリールオキシ基は、炭素数６から３０の置換もしくは無置換のアリールオキシ基が好ましい。置換基の例としては、前述のアルキル基が更に置換基を有することが可能な基であるときに挙げたような置換基と同じものが挙げられる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることができる。
【００４３】
シリルオキシ基は、炭素数３から２０のシリルオキシ基が好ましく、例えば、トリメチルシリルオキシ、ｔ−ブチルジメチルシリルオキシなどを挙げることができる。
【００４４】
ヘテロ環オキシ基は、炭素数２から３０の置換もしくは無置換のヘテロ環オキシ基が好ましい。置換基の例としては、前述のアルキル基が更に置換基を有することが可能な基であるときに挙げたような置換基と同じものが挙げられる。前記ヘテロ環オキシ基の例には、例えば、１−フェニルテトラゾールー５−オキシ、２−テトラヒドロピラニルオキシなどを挙げることができる。
【００４５】
アシルオキシ基は、ホルミルオキシ基、炭素数２から３０の置換もしくは無置換のアルキルカルボニルオキシ基、炭素数６から３０の置換もしくは無置換のアリールカルボニルオキシ基が好ましく、置換基の例としては、前述のアルキル基が更に置換基を有することが可能な基であるときに挙げたような置換基と同じものが挙げられる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることができる。
【００４６】
カルバモイルオキシ基は、炭素数１から３０の置換もしくは無置換のカルバモイルオキシ基が好ましく、置換基の例としては、前述のアルキル基が更に置換基を有することが可能な基であるときに挙げたような置換基と同じものが挙げられる。前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００４７】
アルコキシカルボニルオキシ基は、炭素数２から３０の置換もしくは無置換アルコキシカルボニルオキシ基が好ましく、置換基の例としては、前述のアルキル基が更に置換基を有することが可能な基であるときに挙げたような置換基と同じものが挙げられる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることができる。
【００４８】
アリールオキシカルボニルオキシ基は、炭素数７から３０の置換もしくは無置換のアリールオキシカルボニルオキシ基が好ましく、置換基の例としては、前述のアルキル基が更に置換基を有することが可能な基であるときに挙げたような置換基と同じものが挙げられる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることができる。
【００４９】
アミノ基は、炭素数１から３０の置換もしくは無置換のアルキルアミノ基、炭素数６から３０の置換もしくは無置換のアリールアミノ基が好ましく、置換基の例としては、前述のアルキル基が更に置換基を有することが可能な基であるときに挙げたような置換基と同じものが挙げられる。前記アミノ基の例には、例えば、アミノ、メチルアミノ、ジメチルアミノ、アニリノ、Ｎ−メチル−アニリノ、ジフェニルアミノ、ヒドロキシエチルアミノ、カルボキシエチルアミノ、スルフォエチルアミノ、３，５−ジカルボキシアニリノなどを挙げることができる。
【００５０】
アシルアミノ基は、ホルミルアミノ基、炭素数１から３０の置換もしくは無置換のアルキルカルボニルアミノ基、炭素数６から３０の置換もしくは無置換のアリールカルボニルアミノ基が好ましく、置換基の例としては、前述のアルキル基が更に置換基を有することが可能な基であるときに挙げたような置換基と同じものが挙げられる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００５１】
アミノカルボニルアミノ基は、炭素数１から３０の置換もしくは無置換のアミノカルボニルアミノ基が好ましく、置換基の例としては、前述のアルキル基が更に置換基を有することが可能な基であるときに挙げたような置換基と同じものが挙げられる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００５２】
アルコキシカルボニルアミノ基は、炭素数２から３０の置換もしくは無置換アルコキシカルボニルアミノ基が好ましく、置換基の例としては、前述のアルキル基が更に置換基を有することが可能な基であるときに挙げたような置換基と同じものが挙げられる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることができる。
【００５３】
アリールオキシカルボニルアミノ基は、炭素数７から３０の置換もしくは無置換のアリールオキシカルボニルアミノ基が好ましく、置換基の例としては、前述のアルキル基が更に置換基を有することが可能な基であるときに挙げたような置換基と同じものが挙げられる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることができる。
【００５４】
スルファモイルアミノ基は、炭素数０から３０の置換もしくは無置換のスルファモイルアミノ基が好ましく、置換基の例としては、前述のアルキル基が更に置換基を有することが可能な基であるときに挙げたような置換基と同じものが挙げられる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることができる。
【００５５】
アルキル及びアリールスルホニルアミノ基は、炭素数１から３０の置換もしくは無置換のアルキルスルホニルアミノ基、炭素数６から３０の置換もしくは無置換のアリールスルホニルアミノ基が好ましく、置換基の例としては、前述のアルキル基が更に置換基を有することが可能な基であるときに挙げたような置換基と同じものが挙げられる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることができる。
【００５６】
アルキルチオ基は、炭素数１から３０の置換もしくは無置換のアルキルチオ基が好ましく、置換基の例としては、前述のアルキル基が更に置換基を有することが可能な基であるときに挙げたような置換基と同じものが挙げられる。前記アルキルチオ基の例には、例えばメチルチオ、エチルチオ、ｎ−ヘキサデシルチオなどを挙げることができる。
【００５７】
アリールチオ基は炭素数６から３０の置換もしくは無置換のアリールチオ基が好ましく、置換基の例としては、前述のアルキル基が更に置換基を有することが可能な基であるときに挙げたような置換基と同じものが挙げられる。前記アリールチオ基の例には、例えば、フェニルチオ、ｐ−クロロフェニルチオ、ｍ−メトキシフェニルチオなどを挙げることができる。
【００５８】
ヘテロ環チオ基は、炭素数２から３０の置換又は無置換のヘテロ環チオ基が好ましく、置換基の例としては、前述のアルキル基が更に置換基を有することが可能な基であるときに挙げたような置換基と同じものが挙げられる。前記ヘテロ環チオ基の例には、例えば、２−ベンゾチアゾリルチオ、１−フェニルテトラゾール−５−イルチオなどを挙げることができる。
【００５９】
スルファモイル基は、炭素数０から３０の置換もしくは無置換のスルファモイル基が好ましく、置換基の例としては、前述のアルキル基が更に置換基を有することが可能な基であるときに挙げたような置換基と同じものが挙げられる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）などを挙げることができる。
【００６０】
アルキル及びアリールスルフィニル基は、炭素数１から３０の置換又は無置換のアルキルスルフィニル基、６から３０の置換又は無置換のアリールスルフィニル基が好ましく、置換基の例としては、前述のアルキル基が更に置換基を有することが可能な基であるときに挙げたような置換基と同じものが挙げられる。前記アルキル及びアリールスルフィニル基の例には、例えば、メチルスルフィニル、エチルスルフィニル、フェニルスルフィニル、ｐ−メチルフェニルスルフィニルなどを挙げることができる。
【００６１】
アルキル及びアリールスルホニル基は、炭素数１から３０の置換又は無置換のアルキルスルホニル基、６から３０の置換又は無置換のアリールスルホニル基が好ましく、置換基の例としては、前述のアルキル基が更に置換基を有することが可能な基であるときに挙げたような置換基と同じものが挙げられる。前記アルキル及びアリールスルホニル基の例には、例えば、メチルスルホニル、エチルスルホニル、フェニルスルホニル、ｐ−トルエンスルホニルなどを挙げることができる。
【００６２】
アシル基は、ホルミル基、炭素数２から３０の置換又は無置換のアルキルカルボニル基、炭素数７から３０の置換もしくは無置換のアリールカルボニル基、炭素数４から３０の置換もしくは無置換の炭素原子でカルボニル基と結合しているヘテロ環カルボニル基が好ましく、置換基の例としては、前述のアルキル基が更に置換基を有することが可能な基であるときに挙げたような置換基と同じものが挙げられる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることができる。
【００６３】
アリールオキシカルボニル基は、炭素数７から３０の置換もしくは無置換のアリールオキシカルボニル基が好ましく、置換基の例としては、前述のアルキル基が更に置換基を有することが可能な基であるときに挙げたような置換基と同じものが挙げられる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることができる。
【００６４】
アルコキシカルボニル基は、炭素数２から３０の置換もしくは無置換アルコキシカルボニル基が好ましく、置換基の例としては、前述のアルキル基が更に置換基を有することが可能な基であるときに挙げたような置換基と同じものが挙げられる。前記アルコキシカルボニル基の例には、例えば、メトキシカルボニル、エトキシカルボニル、ｔ−ブトキシカルボニル、ｎ−オクタデシルオキシカルボニルなどを挙げることができる。
【００６５】
カルバモイル基は、炭素数１から３０の置換もしくは無置換のカルバモイル基が好ましく、置換基の例としては、前述のアルキル基が更に置換基を有することが可能な基であるときに挙げたような置換基と同じものが挙げられる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００６６】
ホスフィノ基は、炭素数２から３０の置換もしくは無置換のホスフィノ基が好ましく、置換基の例としては、前述のアルキル基が更に置換基を有することが可能な基であるときに挙げたような置換基と同じものが挙げられる。前記ホスフィノ基の例には、例えば、ジメチルホスフィノ、ジフェニルホスフィノ、メチルフェノキシホスフィノなどを挙げることができる。
【００６７】
ホスフィニル基は、炭素数２から３０の置換もしくは無置換のホスフィニル基が好ましく、置換基の例としては、前述のアルキル基が更に置換基を有することが可能な基であるときに挙げたような置換基と同じものが挙げられる。前記ホスフィニル基の例には、例えば、ホスフィニル、ジオクチルオキシホスフィニル、ジエトキシホスフィニルなどを挙げることができる。
【００６８】
ホスフィニルオキシ基は、炭素数２から３０の置換もしくは無置換のホスフィニルオキシ基が好ましく、置換基の例としては、前述のアルキル基が更に置換基を有することが可能な基であるときに挙げたような置換基と同じものが挙げられる。前記ホスフィニルオキシ基の例には、例えば、ジフェノキシホスフィニルオキシ、ジオクチルオキシホスフィニルオキシなどを挙げることができる。
【００６９】
ホスフィニルアミノ基は、炭素数２から３０の置換もしくは無置換のホスフィニルアミノ基が好ましく、置換基の例としては、前述のアルキル基が更に置換基を有することが可能な基であるときに挙げたような置換基と同じものが挙げられる。前記ホスフィニルアミノ基の例には、例えば、ジメトキシホスフィニルアミノ、ジメチルアミノホスフィニルアミノなどを挙げることができる。
【００７０】
シリル基は、炭素数３から３０の置換もしくは無置換のシリル基が好ましく、置換基の例としては、前述のアルキル基が更に置換基を有することが可能な基であるときに挙げたような置換基と同じものが挙げられる。前記シリル基の例には、例えば、トリメチルシリル、ｔ−ブチルジメチルシリル、フェニルジメチルシリルなどを挙げることができる。
【００７１】
アゾ基は、例えば、フェニルアゾ、４−メトキシフェニルアゾ、４−ピバロイルアミノフェニルアゾ、２−ヒドロキシ−４−プロパノイルフェニルアゾなどを挙げることができる。
【００７２】
イミド基は、例えば、Ｎ−スクシンイミド、Ｎ−フタルイミドなどを挙げることができる。
【００７３】
Ｒ１およびＲ２は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、総炭素原子数Ｃ１〜Ｃ８の直鎖アルキル基または分岐のアルキル基が好ましく、特に２級または３級アルキル基が好ましく、ｔ−ブチル基が最も好ましい。
【００７４】
Ｒ３およびＲ４は水素原子、置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基が好ましく、その中でも、水素原子、総炭素原子数Ｃ１〜Ｃ８の直鎖アルキル基または分岐のアルキル基が好ましく、特に水素原子、またはＣ１〜Ｃ８のアルキル基が好ましく、水素原子が最も好ましい。
【００７５】
Ｒ５は置換もしくは無置換の総炭素数Ｃ１〜Ｃ１２のアルキル基、置換もしくは無置換の総炭素数Ｃ６〜Ｃ１８のアリール基、または置換もしくは無置換の総炭素数Ｃ４〜Ｃ１２ヘテロ環基、ハロゲン原子、アリール基、ヒドロキシル基、アミノ基、アルキルオキシ基、アリールオキシ基、アシルオキシ基、カルバモイルオキシ基、シリルオキシ基、イオン性親水性基（例えば、カルボキシル基、スルホ基、ホスホノ基及び４級アンモニウム基）が好ましく、その中でも、ヒドロキシル基、アルキルオキシ基、アリールオキシ基、アシルオキシ基、カルバモイルオキシ基が好ましく、特にヒドロキシル基、アルキルオキシ基、アリールオキシ基が好ましく、アルキルオキシ基が最も好ましい。
【００７６】
Ｙ１およびＹ２はヒドロキシル基またはアミノ基が好ましく、アミノ基がより好ましい。
【００７７】
一般式（Ｉ）中、Ｚ１およびＺ２は、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換アリール基、または置換基へテロ環基であり、その中でも特に置換アリール基が好ましい。
【００７８】
また、一般式（Ｉ）中、Ｘ１およびＸ２は各々独立にハメットのσｐ値０．２０以上の一価の電子吸引性基を示す。
ここでいう電子吸引性基は、特にハメットの置換基定数σｐ値が０．２０以上の電子吸引性基であり、より好ましくは、σｐ値が０．３０以上の電子吸引性基であることが好ましい。上限としては１．０以下の電子吸引性基である。
【００７９】
ここで、本明細書中で用いられるハメットの置換基定数σｐ値について若干説明する。ハメット則はベンゼン誘導体の反応または平衡に及ぼす置換基の影響を定量的に論ずるために１９３５年  Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。なお、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明に用いられる一般式（Ｉ）で表される化合物はベンゼン誘導体ではないが、置換基の電子効果を示す尺度として、置換位置に関係なくσｐ値を使用する。本発明においては今後、σｐ値をこのような意味で使用する。
【００８０】
σｐ値が０．２０以上の一価の電子吸引性基であるＸ１およびＸ２の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子吸引性基で置換されたアリール基、ヘテロ環基、ハロゲン原子、アゾ基、又はセレノシアネート基が挙げられる。
【００８１】
Ｘ１およびＸ２の好ましいものとしては、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフィニル基、炭素数６〜１８のアリールスルフィニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子吸引性基で置換された炭素数７〜１８のアリール基、及び窒素原子、酸素原子、またはイオウ原子を有する５〜８員環で炭素数１〜１８のヘテロ環基を挙げることができる。
【００８２】
更に好ましくは、シアノ基、炭素数１〜１２のアルキルスルホニル基、炭素数６〜１８のアリールスルホニル基、または炭素数０〜１２のスルファモイル基である。
【００８３】
Ｘ１およびＸ２の特に好ましいものは、シアノ基、炭素数１〜１２のアルキルスルホニル基、または炭素数０〜１２のスルファモイル基であり、最も好ましいものは、シアノ基、または炭素数１〜１２のアルキルスルホニル基である。
【００８４】
一般式（Ｉ）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００８５】
また、一般式（Ｉ）で表される化合物は、下記一般式（Ｉ−１）で表される化合物であることがより好ましい。以下、一般式（Ｉ−１）について詳細に説明する。
【００８６】
【化９】
2009235137.tif 000010
【００８７】
一般式（Ｉ−１）中、Ｗ、Ｙ１、Ｙ２およびＲ１〜Ｒ８は各々独立に、水素原子または１価の置換基を表す。
【００８８】
一般式（Ｉ−１）中、Ｒ１およびＲ２は、上述した一般式（Ｉ）におけるＲ１およびＲ２と同義であり、好ましい範囲も同様である。
【００８９】
一般式（Ｉ−１）中、Ｒ３およびＲ４は、上述した一般式（Ｉ）におけるＲ３およびＲ４と同義であり、好ましい範囲も同様である。
【００９０】
一般式（Ｉ−１）中、Ｒ５〜Ｒ８は、各々独立にハロゲン原子、カルボキシル基、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、スルファモイル基、アルキルスルフィニル基、アリールスルフィニル基、アルキルスルホニル基、アリールスルホニル基、アリールオキシカルボニル基、アルコキシカルボニル基、カルバモイル基が好ましく、カルボキシル基、アルキルスルフィニル基、アリールスルフィニル基、アルキルスルホニル基、アリールスルホニル基、アリールオキシカルボニル基、アルコキシカルボニル基、カルバモイル基がさらに好ましく、カルボキシル基、アリールオキシカルボニル基、アルコキシカルボニル基が特に好ましく、アルコキシカルボニル基が最も好ましい。また、優れた油溶性や光堅牢性が容易に得られる観点からは、エステル構造を有する基であることが好適である。
【００９１】
一般式（Ｉ−１）中、Ｙ１およびＹ２は上述した一般式（Ｉ）におけるＹ１およびＹ２と同義であり、好ましい範囲も同様である。
【００９２】
一般式（Ｉ−１）中、Ｗは、水素原子、置換もしくは無置換の総炭素数Ｃ１〜Ｃ１２のアルキル基、置換もしくは無置換の総炭素数Ｃ６〜Ｃ１８のアリール基、置換もしくは無置換の総炭素数Ｃ４〜Ｃ１２ヘテロ環基、アシル基、カルバモイル基、またはシリル基が好ましく、その中でも、水素原子、置換もしくは無置換の総炭素数Ｃ１〜Ｃ１２のアルキル基、または置換もしくは無置換の総炭素数Ｃ６〜Ｃ１８のアリール基が好ましく、特に水素原子または置換もしくは無置換の総炭素数Ｃ１〜Ｃ１２のアルキル基が好ましく、置換もしくは無置換の総炭素数Ｃ１〜Ｃ１２のアルキル基が最も好ましい。
【００９３】
一般式（Ｉ−１）中、Ｘ１およびＸ２は各々独立に、一価の電子吸引性基を示し、上述した一般式（Ｉ）におけるＸ１およびＸ２と同様であり、好ましい範囲も同様である。
【００９４】
一般式（Ｉ−１）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００９５】
前記一般式（Ｉ）および（Ｉ−１）で表される化合物の具体例（例示色素ＤＹＥ−Ａ１〜ＤＹＥ−Ａ２２）を以下に示すが、本発明に用いられる染料（化合物）は、下記の例に限定されるものではない。
【００９６】
【化１０】
2009235137.tif 000011
【００９７】
【化１１】
2009235137.tif 000012
【００９８】
【化１２】
2009235137.tif 000013
【００９９】
【化１３】
2009235137.tif 000014
【０１００】
【化１４】
2009235137.tif 000015
【０１０１】
【化１５】
2009235137.tif 000016
【０１０２】
上記例示色素の中でも、重合性化合物に対する溶解性の観点から、（化合物番号）ＤＹＥ−Ａ１〜ＤＹＥ−Ａ７、ＤＹＥ−Ａ１１〜ＤＹＥ−Ａ１４、ＤＹＥ−Ａ１６、ＤＹＥ−Ａ１７がより好ましく、ＤＹＥ−Ａ２〜ＤＹＥ−Ａ４、ＤＹＥ−Ａ６、ＤＹＥ−Ａ７、ＤＹＥ−Ａ１１が更に好ましい。
【０１０３】
＜一般式（ＩＩ）で表される化合物＞
【０１０４】
【化１６】
2009235137.tif 000017
【０１０５】
一般式（II）中、Ｒ１１、Ｒ１３及びＲ１４は、各々独立に、置換若しくは無置換のアルキル基、置換若しくは無置換のアリール基、又は、置換若しくは無置換のヘテロアリール基を表し、Ｒ１２及びＲ１５は、各々独立に、水素原子又は１価の置換基を表す。ここで、Ｒ１３及びＲ１４は互いに結合して５員複素環又は６員複素環を形成してもよい。Ｚ１、Ｚ２、Ｚ３、及びＺ４は、各々独立に、水素原子又は１価の置換基を表す。ここで、Ｚ１とＺ２、Ｚ3とＺ4とが、それぞれ互いに結合して５員環又は６員環を形成してもよい。
【０１０６】
ここで、Ｒ１２、Ｒ１５、Ｚ１、Ｚ２、Ｚ３、及びＺ４で表される１価の置換基は、前述の一般式（Ｉ）において、Ｒ１〜Ｒ４で表される１価の置換基と同義であり、好ましい範囲も同様である。
【０１０７】
一般式（II）中、Ｒ１１としては、溶解性および色調の点から、無置換の総炭素数１〜１２のアルキル基、置換もしくは無置換の総炭素数６〜１８のアリール基、または、置換もしくは無置換の総炭素数４〜１２ヘテロ環基が好ましく、その中でも、置換もしくは無置換の総炭素数６〜１８のアリール基、又は、置換もしくは無置換の総炭素数４〜１２ヘテロ環基が好ましく、特に、置換もしくは無置換のベンゼン環が好ましい。
【０１０８】
一般式（II）中、Ｒ１２としては、色調およびモル吸光度の点から、１価の置換基の中でも電子吸引性基が好ましい。なお、ここでいう電子吸引性基は、特にハメットの置換基定数σｐ値が０．２０以上の電子吸引性基であることが好ましい。上限としては１．０以下の電子吸引性基である。σｐ値が０．２０以上の電子吸引性基の具体例としては、前記一般式（I）におけるＸ１およびＸ２に挙げた置換基が挙げられる。
【０１０９】
一般式（II）中、Ｒ１２の好ましいものとしては、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフィニル基、炭素数６〜１８のアリールスルフィニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、σｐ０．２０以上の他の電子吸引性基で２つ以上置換された炭素数７〜１８のアリール基、及び、窒素原子、酸素原子、またはイオウ原子を有する５員環〜８員環で炭素数１〜１８のヘテロ環基を挙げることができる。
【０１１０】
一般式（II）中、Ｒ１２として更に好ましくは、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、炭素数１〜１２のアルキルスルフィニル基、炭素数６〜１８のアリールスルフィニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基である。
【０１１１】
一般式（II）中、Ｒ１２として特に好ましいものは、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、炭素数１〜１２のアルキルスルホニル基、炭素数６〜１８のアリールスルホニル基、炭素数０〜１２のスルファモイル基であり、最も好ましいものは、炭素数２〜１２のアルキルオキシカルボニル基、炭素数７〜１８のアリールオキシカルボニル基である。
【０１１２】
一般式（II）において、Ｒ１３及びＲ１４としては、合成原料入手性、色調および光堅牢性の点から、各々独立に、置換もしくは無置換のアルキル基、置換もしくは無置換のアルケニル基、置換もしくは無置換のアリール基、又は、置換もしくは無置換のヘテロ環基が好ましい。
また、Ｒ１３及びＲ１４は互いに結合して５員複素環又は６員複素環を形成してもよい。形成される５員複素環又は６員複素環としては、ピロリジン、ピペリジン、ピペラジン、モルホリン等が挙げられる。
【０１１３】
一般式（II）において、Ｒ１５としては、合成原料入手性および光堅牢性の点から、水素原子、又は、置換もしくは無置換の総炭素数１〜１２のアルキル基が好ましく、その中でも、水素原子、又は、総炭素数１〜８の直鎖アルキル基或いは総炭素数１〜８の分岐のアルキル基が好ましく、水素原子が最も好ましい。
【０１１４】
一般式（II）において、Ｚ１、Ｚ２、Ｚ３、及びＺ４としては、合成原料入手性および光堅牢性の点から、各々独立に、水素原子、置換もしくは無置換の総炭素数１〜１２のアルキル基、置換もしくは無置換の総炭素数６〜１８のアリール基、または、置換もしくは無置換の総炭素数４〜１２ヘテロ環基が好ましく、その中でも、水素原子、又は、総炭素数１〜８の直鎖アルキル基或いは総炭素数１〜８の分岐のアルキル基が好ましく、特に、水素原子が好ましい。
また、Ｚ１とＺ２、Ｚ3とＺ4とが、それぞれ互いに結合して５員環又は６員環を形成してもよい。形成される５員環又は６員環としては、ナフタレン、ベンゾチアゾール、キノリン、イソキノリン等が挙げられる。
【０１１５】
一般式（II）で表される化合物におけるＲ１１〜Ｒ１５及びＺ１〜Ｚ４の好ましい組み合わせについては、Ｒ１１〜Ｒ１５及びＺ１〜Ｚ４のうち少なくとも１つが、前記の好ましい例であることが好ましく、２つ以上が前記の好ましい例であることがより好ましく、全てが前記の好ましい例であることが最も好ましい。
【０１１６】
前記一般式（ＩＩ）で表される化合物の具体例（例示色素ＤＹＥ−Ｂ１〜ＤＹＥ−Ｂ２５）を以下に示すが、本発明は、下記の例に限定されるものではない。
【０１１７】
【化１７】
2009235137.tif 000018
【０１１８】
【化１８】
2009235137.tif 000019
【０１１９】
【化１９】
2009235137.tif 000020
【０１２０】
【化２０】
2009235137.tif 000021
【０１２１】
上記例示化合物の中でも、重合性化合物に対する溶解性の観点から、ＤＹＥ−Ｂ１、ＤＹＥ−Ｂ２、ＤＹＥ−Ｂ６、ＤＹＥ−Ｂ７、ＤＹＥ−Ｂ１１、ＤＹＥ−Ｂ１２、ＤＹＥ−Ｂ２０、ＤＹＥ−Ｂ２２がより好ましく、ＤＹＥ−Ｂ１、ＤＹＥ−Ｂ２、ＤＹＥ−Ｂ１２が更に好ましい。
【０１２２】
＜一般式（ＩＩＩ）で表される化合物＞
【化２１】
2009235137.tif 000022
【０１２３】
一般式（ＩＩＩ）中、Ｒ１１、Ｒ１２、Ｒ１３、Ｒ１４およびＲ１５は各々独立に、水素原子または１価の置換基を表わす。Ｒ１６およびＲ１７は各々独立に、置換若しくは無置換のアルキル基、置換若しくは無置換のアリール基、または置換若しくは無置換のヘテロアリール基を表し、互いに結合して環を形成してもよい。）
【０１２４】
一般式（ＩＩＩ）中、Ｒ１１、Ｒ１２、Ｒ１３、Ｒ１４およびＲ１５で表される一価の置換基としては、前記一般式（ＩＩ）のＺ１〜Ｚ４で挙げた置換基と同様のものが挙げられる。また、Ｒ１６およびＲ１７で表される置換基としては、前記一般式（ＩＩ）のＲ１３およびＲ１４で挙げた置換基と同様のものが挙げられる。
【０１２５】
一般式（ＩＩＩ）中、Ｒ１１、Ｒ１２、Ｒ１３、Ｒ１４およびＲ１５で表される一価の置換基としては、前記一般式（I）におけるＹ１、Ｙ２に挙げた置換基が挙げられる。
【０１２６】
一般式（ＩＩＩ）中、Ｒ１６およびＲ１７で表される置換または無置換のアルキル基としては、炭素数１〜３０の直鎖状、炭素数３〜３０の分岐状、炭素数３〜３０の環状のアルキル基が挙げられ、より好ましくは、炭素数２〜２０の直鎖状、炭素数３〜２０の分岐状、炭素数３〜２０の環状のアルキル基であり、更に好ましくは、炭素数２〜１２の直鎖状、炭素数３〜１２の分岐状、炭素数３〜１２の環状のアルキル基である。
【０１２７】
一般式（ＩＩＩ）中、Ｒ１６およびＲ１７で表されるアリール基としては、炭素数６〜３０のアリール基が挙げられ、炭素数６〜１８のアリール基がより好ましく、炭素数６〜１２のアリール基が更に好ましい。
【０１２８】
員数としては、６〜１４が挙げられ、６〜１０がより好ましく、６が更に好ましい。
環数としては１〜５が挙げられ、１〜３がより好ましく、１〜２が更に好ましい。また単環であっても、縮合環であってもよい。
【０１２９】
上記アリール基は、置換基を更に有していてもよく、導入可能な置換基としては、前記一般式（I）におけるＹ１、Ｙ２に挙げた置換基が挙げられる。
【０１３０】
一般式（ＩＩＩ）中、Ｒ１６およびＲ１７で表されるヘテロアリール基としては、炭素数５〜３０が挙げられ、炭素数６〜１８がより好ましく、炭素数６〜１２が更に好ましい。
員数としては、５〜１４が挙げられ、６〜１０がより好ましく、６が更に好ましい。
環数としては１〜５が挙げられ、１〜３がより好ましく、１〜２が更に好ましい。また単環であっても、縮合環であってもよい。
【０１３１】
ヘテロ原子としては、酸素原子、窒素原子、硫黄原子が挙げられる。
具体的には、例えばトリアゾール残基、イミダゾリル残基、ピリジニル残基等の含窒素芳香環基、チオフェン残基、チアゾール残基等の含硫黄芳香環基、フラン残基、オキサゾール残基等の含酸素芳香環基等が挙げられる。
【０１３２】
上記ヘテロアリール基は、置換基を更に有していてもよく、導入可能な置換基としては前記一般式（I）におけるＹ１、Ｙ２に挙げた置換基が挙げられる。
【０１３３】
一般式（ＩＩＩ）におけるＲ１６およびＲ１７は、互いに結合して環を形成することができるが、この場合、形成しうる環としては、５員環または６員環が好ましい。
一般式（ＩＩＩ）における置換基の好ましい組合せとしては、Ｒ１１〜Ｒ１５はハロゲン原子、アルキル基、カルバモイルオキシ基、アルコキシカルボニルオキシ基、アリールオキシカルボニルオキシ基、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、スルファモイル基、アルキルスルフィニル基、アリールスルフィニル基、アルキルスルホニル基、アリールスルホニル基、アリールオキシカルボニル基、アルコキシカルボニル基、カルバモイル基であり、Ｒ１６およびＲ１７はアルキル基、アルケニル基、アリール基、ヘテロ環基である。
【０１３４】
また溶解度の観点から、好ましくは一般式（ＩＩＩ）で表される化合物のLogＰ値が６以上であることが好ましく、特にLogＰ値が８以上であることがより好ましい。
【０１３５】
前記一般式（ＩＩＩ）で表される化合物の具体例（例示色素ＤＹＥ−Ｃ１〜ＤＹＥ−Ｃ３０２６）を以下に示すが、本発明に用いられる化合物は、下記の例に限定されるものではない。
前記一般式（ＩＩＩ）で表される構造に、例示色素ＤＹＥ−Ｃ１５、２４，２６，３０は該当しません。削除し番号をつめ（例示色素ＤＹＥ−Ｃ１〜ＤＹＥ−Ｃ２６）までとしてください。
【０１３６】
【化２２】
2009235137.tif 000023
【０１３７】
【化２３】
2009235137.tif 000024
【０１３８】
【化２４】
2009235137.tif 000025
【０１３９】
【化２５】
2009235137.tif 000026
【０１４０】
【化２６】
2009235137.tif 000027
【０１４１】
【化２７】
2009235137.tif 000028
【０１４２】
【化２８】
2009235137.tif 000029
【０１４３】
【化２９】
2009235137.tif 000030
【０１４４】
【化３０】
2009235137.tif 000031
【０１４５】
【化３１】
2009235137.tif 000032
【０１４６】
上記例示色素のなかでも、耐光性および重合性化合物に対する溶解性の観点から、ＤＹＥ−Ｃ１、ＤＹＥ−Ｃ３、ＤＹＥ−Ｃ６、ＤＹＥ−Ｃ８、ＤＹＥ−Ｃ１０、ＤＹＥ−Ｃ１３、ＤＹＥ−Ｃ１７、ＤＹＥ−Ｃ２４がより好ましく、ＤＹＥ−Ｃ１、ＤＹＥ−Ｃ６、ＤＹＥ−Ｃ１０が更に好ましい。
【０１４７】
＜一般式（ＩＶ）で表される化合物＞
【０１４８】
【化３２】
2009235137.tif 000033
【０１４９】
上記一般式（ＩＶ）中、Ａは、５員複素環ジアゾ成分Ａ−ＮＨ２の残基を表す。Ｂ１は窒素原子、または−ＣＲ１＝を表し、Ｂ２は、窒素原子または−ＣＲ２＝を表し、Ｂ１及びＢ２が同時に窒素原子であることはない。ここで、Ｒ１およびＲ２は、各々独立に、水素原子、ハロゲン原子、又は１価の置換基を表す。
Ｒ３およびＲ４は、各々独立に、水素原子、脂肪族基、芳香族基、複素環基、アシル基、アルコキシカルボニル基、アリールオキシカルボニル基、カルバモイル基、アルキルスルホニル基、アリールスルホニル基、またはスルファモイル基を表わす。各基は更に置換基を有していてもよい。
【０１５０】
一般式（ＩＶ）中、Ｒ１およびＲ２で表される１価の基とは、前記一般式（I）におけるＹ１、Ｙ２に挙げた置換基が挙げられる。
【０１５１】
また、Ｒ１とＲ３、Ｒ３とＲ４が、それぞれ結合して５員環または６員環を形成してもよい。
ａおよびｅは各々独立に、アルキル基、アルコキシ基またはハロゲン原子を表すが、aおよびｅが共にアルキル基である時は、そのアルキル基を構成する炭素数の合計が２以上であって、それらはさらに置換されていてもよい。
ｂ、ｃおよびｄは、各々独立に、Ｂ１におけるＲ１およびＢ２におけるＲ２と同義であり、ａとｂ、または、ｅとｄで互いに縮環構造を形成していてもよい。
【０１５２】
一般式（ＩＶ）において、Ａは５員複素環ジアゾ成分Ａ−ＮＨ２の残基を表す。該５員複素環のヘテロ原子の例には、Ｎ、Ｏ、およびＳを挙げることができる。好しくは含窒素５員複素環であり、複素環に脂肪族環、芳香族環または他の複素環が縮合していてもよい。
Ａの好ましい複素環の例には、ピラゾール環、イミダゾール環、トリアゾール環、チアゾール環、イソチアゾール環、チアジアゾール環、ベンゾチアゾール環、ベンゾオキサゾール環、またはベンゾイソチアゾール環を挙げることができる。各複素環基は更に置換基を有していてもよい。なかでも、下記一般式（ａ）から（ｆ）で表されるピラゾール環、イミダゾール環、イソチアゾール環、チアジアゾール環、ベンゾチアゾール環、またはトリアゾール環が好ましい。
【０１５３】
【化３３】
2009235137.tif 000034
【０１５４】
上記一般式（ａ）から（ｇ）において、Ｒｍ１〜Ｒｍ１６は、一般式（ＩＶ）におけるＲ１およびＲ２と同義である。
【０１５５】
一般式（ＩＶ）中、Ｒ３およびＲ４は、各々独立に、水素原子、脂肪族基（アルキル基、アルケニル基、アルキニル基等）、芳香族基（フェニル基、ナフチル基等）、ヘテロ環基、アシル基、アルコキシカルボニル基、アリールオキシカルボニル基、カルバモイル基、スルホニル基（アルキルスルホニル基、アリールスルホニル基）、またはスルファモイル基を表す。好ましくは水素原子、アルキル基、シクロアルキル基、アラルキル基、アルケニル基、アリール基、ヘテロ環基、スルホニル基、アシル基、カルバモイル基であり、各基はさらに置換されていてもよい。具体的には前記一般式（I）におけるＹ１、Ｙ２に挙げた置換基の説明と同様である。
【０１５６】
Ｂ１は窒素原子または−ＣＲ１＝を表し、Ｂ２は、窒素原子または−ＣＲ２＝を表し、Ｂ１およびＢ２が同時に窒素原子であることはない。ピリジンカプラー骨格の形成による色素の酸化電位上昇の観点から、Ｂ１が−ＣＲ１＝で、且つＢ２が−ＣＲ２＝を表す場合において、より優れた性能を発揮できるため好ましい。
【０１５７】
Ｂ１におけるＲ１およびＢ２におけるＲ２は、各々独立に、水素原子、ハロゲン原子、アルキル基、アラルキル基、アルケニル基、アルキニル基、シクロアルキル基、アリール基、ヘテロ環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アミノ基（アルキルアミノ基、およびアリールアミノ基）、ヘテロ環アミノ基、アシルアミノ基、アミノカルボニルアミノ基（ウレイド基）、スルフアモイルアミノ基、アルコキシカルボニルアミノ基、アリールオキシカルボニルアミノ基、アルキルもしくはアリールスルホニルアミノ基、アリールオキシカルボニルアミノ基、ニトロ基、アルキルもしくはアリールチオ基、アルキルもしくはアリールスルホニル基、アルキルもしくはアリールスルフィニル基、スルファモイル基、スルホ基、またはヘテロ環チオ基を表す。具体的には前記一般式（I）におけるＹ１、Ｙ２に挙げた置換基の説明と同様である。各基は更に置換されていてもよい。また、Ｒ１とＲ３、あるいはＲ３とＲ４が結合して５員環または６員環を形成してもよい。
【０１５８】
ａおよびｅは各々独立に、アルキル基、アルコキシ基またはハロゲン原子を表すが、aおよびｅが共にアルキル基である場合は、そのアルキル基を構成する炭素数の合計が２以上であって、それらはさらに置換されていてもよい。ｂ、ｃおよびｄは、各々独立に、Ｂ１におけるＲ１およびＢ２におけるＲ２と同義であり、ａとｂ、または、ｅとｄでそれぞれ互いに縮環構造を形成してもよい。
【０１５９】
一般式（ＩＶ）に関して、好ましい置換基の組み合わせ例を以下に示す。Ａは、ピラゾール環、イミダゾール環、イソチアゾール環、チアジアゾール環、またはベンゾチアゾール環（その中でも好ましくはピラゾール環）、Ｂ１は無置換炭素原子、Ｂ２は無置換またはアルキル置換された炭素原子、Ｒ３およびＲ４は水素原子、アルキル基、アラルキル基、アリール基、複素環基、スルホニル基、またはアシル基、ａおよびｅは、アルキル基またはハロゲン原子が好ましく、ａおよびｅが共にアルキル基の時は無置換アルキル基であって、ａおよびｅの炭素数の合計が３以上（好ましくは５以下）であり、ａ、ｂ、ｃおよびｄは、各々水素原子、ハロゲン原子、アルキル基（好ましくは各々水素原子、炭素数１〜４のアルキル基）の場合が好ましい組み合わせである。
【０１６０】
本発明では、一般式（ＩＶ）で表される化合物が、下記一般式（ＩＶ−１）で表される化合物であることが好ましい態様である。
以下、一般式（ＩＶ−１）で表される化合物について説明する。
【０１６１】
【化３４】
2009235137.tif 000035
【０１６２】
上記一般式（ＩＶ−１）中、Ｚ１は、ハメットの置換基定数σｐ値が０．２０以上の電子吸引性基を表す。Ｚ２は、水素原子、脂肪族基、芳香族基または複素環基を表す。Ｒ１、Ｒ２、Ｒ３、Ｒ４、ａ、ｂ、ｃ、ｄ及びｅは、各々一般式（ＩＶ）の場合と同義である。Ｑは、水素原子、脂肪族基、芳香族基または複素環基を表す。上記Ｚ１、Ｚ２及びＱの各基は、更に置換基を有していてもよい。
【０１６３】
一般式（ＩＶ−１）において、Ｚ１は、ハメットの置換基定数σｐ値が０．２０以上の電子吸引性基を表し、好ましくは０．３０以上の電子吸引性基である。σｐ値の上限としては、好ましくは１．０以下である。σｐ値が０．２０以上の電子吸引性基の具体例としては、前記一般式（I）におけるＸ１、Ｘ２に挙げた置換基が挙げられる。
【０１６４】
Ｚ１として好ましくはシアノ基、ニトロ基、またはハロゲン原子であり、ハロゲン原子、またはシアノ基がより好ましく、シアノ基が最も好ましい。
【０１６５】
Ｚ２としては水素原子、アルキル基、シクロアルキル基、アラルキル基、アリール基、複素環基、またはアシル基が好ましく、アルキル基がより好ましい。各置換基はさらに置換されていてもよい。
ただし、Ｒ３とＲ４が共に水素原子であることはない。
【０１６６】
Ｑは、好ましくは、アルキル基、シクロアルキル基、アラルキル基、アルケニル基、アリール基、または複素環基を表し、これら各置換基はさらに置換されていてもよい。これらの置換基の詳細は上記Ｒ１およびＲ２の場合と同じである。
【０１６７】
Ｑとしては、電子吸引性基で置換された、アリール基または複素環基が好ましい。
Ｑの上記電子吸引性基は、ハメットの置換基定数σｐ値が０．２０以上、好ましくは０．３０以上の電子吸引性基である。σｐ値の上限としては、好ましくは１．０以下である。σｐ値が０．２０以上の電子吸引性基の具体例としては、具体的には前記一般式（I）におけるＸ１、Ｘ２に挙げた置換基が挙げられ、好ましくはシアノ基、ニトロ基、ハロゲン原子である。上記複素環基は、電子吸引性基で置換されていてもいなくてもよい。
【０１６８】
一般式（ＩＶ−１）に関して、好ましい置換基の組み合わせ例を以下に示す。Ｚ１はシアノ基；Ｚ２は、イソプロピル基、ｔ−ブチル基またはフェニル基（好ましくはｔ−ブチル基）；Ｒ１は水素原子；Ｒ２は水素原子または炭素数１〜４のアルキル基（好ましくはメチル基）；Ｒ３、Ｒ４は各々水素原子、アルキル基、アラルキル基、アリール基、複素環基、スルホニル基、またはアシル基、好ましくは水素原子、複素環（好ましくはベンズオキサゾール環、ベンゾチアゾール環）基またはアルキル置換されたフェニル基；ａおよびｅは、各々がアルキル基であって、ａ＋ｅが炭素数２以上（好ましくは５以下）の置換されていてもよいアルキル基、好ましくは炭素数４以上５以下の無置換アルキル基；ｂ、ｃおよびｄは、各々独立に水素原子、ハロゲン原子、アルキル基、；Ｑは、複素環（好ましくはベンズオキサゾール環、ベンゾチアゾール環（好ましくはスルファモイル置換のベンゾオキサゾール環またはベンゾチアゾール環））基の場合が好ましい組み合わせである。
【０１６９】
一般式（ＩＶ−１）に関して、Ｚ１はシアノ基であり、Ｚ２はイソプロピル基またはｔ−ブチル基であり、Ｒ１は水素原子であり、Ｒ２は炭素数１〜４のアルキル基であり、Ｒ３およびＲ４は各々独立にアルキル基、アリール基、複素環基、スルホニル基またはアシル基であり、ａおよびｅは各々がアルキル基であり、ａ＋ｅが炭素数２以上（好ましくは５以下）の置換されていてもよいアルキル基であり、ｂ、ｃおよびｄは、各々独立に水素原子、ハロゲン原子、アルキル基であり、Ｑは複素環基である場合などが、特に溶解性が高い。さらに好ましくは一般式（ＩＶ−１）に関して、Ｚ１はシアノ基であり、Ｚ２はｔ−ブチル基であり、Ｒ１は水素原子であり、Ｒ２はメチル基またはエチル基であり、Ｒ３およびＲ４は各々独立にベンゾオキサゾール基、ベンゾチアゾール基またはアルキル置換されたフェニル基であり、ａおよびｅは各々がメチル基、エチル基またはイソプロピル基であり、ｂ、ｃおよびｄは、各々独立に水素原子またはアルキル基であり、Ｑはベンゾオキサゾール環、ベンゾチアゾール環基である場合が均一なインク組成物を得ることができる。
【０１７０】
一般式（ＩＶ）および一般式（ＩＶ−１）の好ましい具体例（例示色素ＤＹＥ−Ｄ１〜ＤＹＥ−Ｄ３２）を以下に示すが、本発明は、下記の例に限定されるものではない。
【０１７１】
【化３５】
2009235137.tif 000036
【０１７２】
【化３６】
2009235137.tif 000037
【０１７３】
【化３７】
2009235137.tif 000038
【０１７４】
【化３８】
2009235137.tif 000039
【０１７５】
【化３９】
2009235137.tif 000040
【０１７６】
【化４０】
2009235137.tif 000041
【０１７７】
上記例示色素の中でも、耐光性および重合性化合物に対する溶解性の観点から、ＤＹＥ−Ｄ５、ＤＹＥ−Ｄ９、ＤＹＥ−Ｄ１３、ＤＹＥ−Ｄ１４、ＤＹＥ−Ｄ１５、ＤＹＥ−Ｄ１６、ＤＹＥ−Ｄ２０、ＤＹＥ−Ｄ２１、ＤＹＥ−Ｄ２６、ＤＹＥ−Ｄ２８、ＤＹＥ−Ｄ２９がより好ましく、ＤＹＥ−Ｄ９、ＤＹＥ−Ｄ１６、ＤＹＥ−Ｄ２９が更に好ましい。
【０１７８】
＜一般式（Ｖ）で表される化合物＞
【０１７９】
【化４１】
2009235137.tif 000042
【０１８０】
一般式（Ｖ）中、Ｑ1〜Ｑ4、Ｐ1〜Ｐ4、Ｗ1〜Ｗ4、およびＲ1〜Ｒ4は、各々独立に、（＝Ｃ（Ｊ１）−及び／または−Ｎ＝）、（＝Ｃ（Ｊ2）−及び／または−Ｎ＝）、（＝Ｃ（Ｊ３）−及び／または−Ｎ＝）、（＝Ｃ（Ｊ4）−及び／または−Ｎ＝）を表す。
【０１８１】
Ｍは、水素原子、金属元素、金属酸化物、金属水酸化物、または金属ハロゲン化物を表す。
Ｍとして好ましいものは、水素原子の他に、金属元素として、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。なかでも、特にＣｕ、Ｎｉ、Ｚｎ、Ａｌが好ましく、Ｃｕが最も好ましい。
【０１８２】
金属酸化物としては、ＶＯ、ＧｅＯ等が好ましく挙げられる。また、金属水酸化物としては、Ｓｉ（ＯＨ）２、Ｃｒ（ＯＨ）２、Ｓｎ（ＯＨ）２等が好ましく挙げられる。さらに、金属ハロゲン化物としては、ＡｌＣｌ、ＳｉＣｌ２、ＶＣｌ、ＶＣｌ２、ＶＯＣｌ、ＦｅＣｌ２、ＧａＣｌ、ＺｎＣｌ等が挙げられる。
【０１８３】
Ｊ１〜Ｊ４は各々独立に、水素原子及びまたは置換基を表す。
【０１８４】
また、Ｊ１〜Ｊ４が置換基を表す場合は、更に置換基を有してもよい。但し、Ｊ１〜Ｊ４のうち少なくとも１つは、あるいＪ１〜Ｊ４が有する置換基のうち少なくとも１つは炭素数２以上の親油性基を置換基として有する。
【０１８５】
なお（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の４つ全てが同時に芳香族環になることはない。
【０１８６】
しかしＡ環：（Ａ）、Ｂ環：（Ｂ）、Ｃ環：（Ｃ）、Ｄ環：（Ｄ）の４つ全てが同時にピリジン環の場合は、（Ｑ１及びＲ１）且つ（Ｑ２及びＲ２）且つ（Ｑ３及びＲ３）且つ（Ｑ４及びＲ４）の何れか一方が窒素原子であるピリジン環は除く。
【０１８７】
また、Ａ環：（Ａ）、Ｂ環：（Ｂ）、Ｃ環：（Ｃ）、Ｄ環：（Ｄ）の４つ全てが同時にピラジン環の場合は除く。
【０１８８】
（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つが、含窒素ヘテロ環であるものが好ましい。
【０１８９】
（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つ（好ましくは少なくとも２つ）が芳香族環を表し、且つ、少なくとも１つがピリジン環及びまたはピラジン環を表すものがより好ましい。
【０１９０】
（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つ（好ましくは少なくとも２つ）が、下記一般式（Ｖ−１）で表される芳香族環であるのが更に好ましい。
【０１９１】
【化４２】
2009235137.tif 000043
一般式（Ｖ−１）
【０１９２】
一般式（Ｖ−１）中Ｇは、−ＳＯ−Ｚ1、−ＳＯ2−Ｚ1、−ＳＯ2ＮＺ1Ｚ2、−ＣＯＮＺ1Ｚ2、−ＣＯ2Ｚ1、または−ＣＯＺ1を表す。
【０１９３】
特に、−ＳＯ2−Ｚ1、−ＳＯ2ＮＺ1Ｚ2、−ＣＯＮＺ1Ｚ2が好ましく、その中でも−ＳＯ2−Ｚ1、−ＳＯ2ＮＺ1Ｚ2が好ましく、−ＳＯ2−Ｚ1が最も好ましい。
【０１９４】
Ｚ1は、同一または異なっていてもよく、置換もしくは無置換の総炭素数１〜２０のアルキル基、置換もしくは無置換の総炭素数３〜２０のシクロアルキル基、置換もしくは無置換の総炭素数２〜２０のアルケニル基、置換もしくは無置換の総炭素数２〜１２のアルキニル基、置換もしくは無置換の総炭素数７〜２０のアラルキル基、置換もしくは無置換の総炭素数６〜２０のアリール基、置換もしくは無置換の総炭素数４〜２０ヘテロ環基が好ましく、その中でも置換もしくは無置換の総炭素数１〜１２アルキル基、置換もしくは無置換の総炭素数６〜１８のアリール基、置換もしくは無置換の総炭素数４〜１２のへテロ環基が好ましく、置換の総炭素数１〜１２アルキル基が最も好ましい。
【０１９５】
Ｚ2は、同一または異なっていてもよく、水素原子、置換もしくは無置換の総炭素数１〜２０のアルキル基、置換もしくは無置換の総炭素数３〜２０のシクロアルキル基、置換もしくは無置換の総炭素数２〜２０のアルケニル基、置換もしくは無置換の総炭素数２〜１２のアルキニル基、置換もしくは無置換の総炭素数７〜２０のアラルキル基、置換もしくは無置換の総炭素数６〜２０のアリール基、置換もしくは無置換の総炭素数４〜２０ヘテロ環基が好ましく、その中でも水素原子、置換もしくは無置換の総炭素数１〜１２アルキル基、置換もしくは無置換の総炭素数６〜１８のアリール基、置換もしくは無置換の総炭素数４〜１２のへテロ環基が好ましく、更に水素原子、置換の総炭素数１〜１２アルキル基が好ましく、水素原子が最も好ましい。
【０１９６】
なお、Ｚ1及び／又はＺ2は、上記Ａ1〜Ａ4が有することができる置換基に挙げたような置換基を更に有してもよい。置換基を更に有していてもよい。このような置換基としては、
ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、スルフィニル基、ホスホリル基、およびアシル基が好ましい。これらの基は、さらに置換基を有していてもよい。
【０１９７】
なかでも、ハロゲン原子、アルキル基、シクロアルキル基、アルケニル基、アラルキル基、アリール基、ヘテロ環基、シアノ基、アルコキシ基、アミド基、ウレイド基、スルホンアミド基、カルバモイル基、スルファモイル基、スルホニル基、およびアルコキシカルボニル基が好ましく、特に、ハロゲン原子、アルキル基、シクロアルキル基、アルケニル基、アラルキル基、アリール基、ヘテロ環基、シアノ基、カルバモイル基、スルファモイル基、スルホニル基、およびアルコキシカルボニル基が好ましく、スルファモイル基、およびスルホニル基が最も好ましい。
【０１９８】
Ｚ１及び／又はＺ２の少なくとも一つが炭素数２以上（好ましくは炭素数５０以下、より好ましくは３０以下）の置換基を表し、且つ、Ｚ１及び／又はＺ２で表される置換基の炭素数の総和が８以上（好ましくは炭素数２００以下、より好ましくは１２０以下）であることが好ましく、更に、Ｚ１及び／又はＺ２の少なくとも一つが炭素数２以上（好ましくは炭素数５０以下、より好ましくは３０以下）の置換基を表し、且つ、Ｚ１及び／又はＺ２で表される置換基の炭素数の総和が１０以上（好ましくは炭素数２００以下、より好ましくは１２０以下）であることが特に好ましく、Ｚ１及び／又はＺ２の少なくとも一つが炭素数２以上（好ましくは炭素数５０以下、より好ましくは３０以下）の置換基を表し、且つ、Ｚ１及び／又はＺ２で表される置換基の炭素数の総和が１０以上（好ましくは炭素数１２０以下、より好ましくは１００以下）であることが最も好ましい。
【０１９９】
ｔは、０〜４の整数を表し、特に１〜２が好ましく、１が最も好ましい。
【０２００】
上記一般式（Ｖ）で表される芳香環の中でも、特に、下記一般式（Ｖ−２）で表される芳香環が好ましい。
【０２０１】
【化４３】
2009235137.tif 000044
一般式（Ｖ−２）
【０２０２】
一般式（Ｖ−２）中、Ｚ1は、上記一般式（Ｖ−１）中のＺ1と同義であり、好ましい例も同じである。ｔ１は、０〜２の整数を表す。＊は、フタロシアニン骨格との結合位置を表す。
【０２０３】
前記一般式（Ｖ）で表されるフタロシアニン化合物として特に好ましい組み合わせは、  （イ）（（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つがヘテロ環を表すフタロシアニン化合物が好ましい。
【０２０４】
（ロ）（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つが含窒素６員ヘテロ環を表すフタロシアニン化合物が好ましい。但し、Ａ環：（Ａ）、Ｂ環：（Ｂ）、Ｃ環：（Ｃ）、Ｄ環：（Ｄ）の４つ全てが同時にピリジン環の場合は、（Ｑ１及びＲ１）且つ（Ｑ２及びＲ２）且つ（Ｑ３及びＲ３）且つ（Ｑ４及びＲ４）の何れか一方が窒素原子であるピリジン環は除く。また、Ａ環：（Ａ）、Ｂ環：（Ｂ）、Ｃ環：（Ｃ）、Ｄ環：（Ｄ）の４つ全てが同時にピラジン環の場合は除く。
【０２０５】
（ハ）（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つが芳香族環を表し、且つ、少なくとも１つがピリジン環及びまたはピラジン環を表すものが好ましい。その中でも特に、（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つが、炭素数２以上の置換基を有する、スルフィニル基、スルホニル基、スルファモイル基で置換された芳香族環を表すフタロシアニン化合物が好ましく、更に、（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：（Ｄ）｝の少なくとも１つが、炭素数２以上の置換基を有する、スルホニル基、スルファモイル基で置換された芳香族環を表すフタロシアニン化合物が好ましく、（Ｑ１、Ｐ１、Ｗ１、Ｒ１）、（Ｑ２、Ｐ２、Ｗ２、Ｒ２）、（Ｑ３、Ｐ３、Ｗ３、Ｒ３）、（Ｑ４、Ｐ４、Ｗ４、Ｒ４）から成る環｛Ａ環：（Ａ）、Ｂ環：（Ｂ）、Ｃ環：（Ｃ）、Ｄ環：Ｄ｝｝の少なくとも１つが、炭素数２以上の置換基を有する、スルホニル基で置換された芳香族環を表すフタロシアニン化合物が最も好ましい。
【０２０６】
（ニ）Ｍは、水素原子、金属原子、またはその酸化物、水酸化物、及びハロゲン化物が好ましく、中でも、Ｃｕ、Ｎｉ、Ｚｎ、Ａｌ等が好ましく、Ｃｕが最も好ましい。
【０２０７】
（ヘ）前記一般式（Ｖ）で表されるフタロシアニン化合物一分子中、炭素数２以上（好ましくは６０以下、より好ましくは３０以下）の親油性基を少なくとも１個有し、好ましくは、炭素数３以上の親油性基を少なくとも１個有することが好ましい、その中でも親油性基の炭素数の総和が、８以上（好ましくは２４０以下、より好ましくは１２０以下）有することがより好ましく、その中でも親油性基の炭素数の総和が１０以上（好ましくは１２０以下、より好ましくは１００以下）有することが特に好ましい。
【０２０８】
一般式（Ｖ−２）においてＺ1はそれぞれ独立に、−Ａ1−Ｌ−Ａ2−Ｑで表される基が好ましい。
Ａ1、Ａ2は、それぞれ独立に、置換もしくは無置換のアルキレン、置換もしくは無置換のフェニレン、置換もしくは無置換のナフチレン、置換もしくは無置換のヘテロ環基を表す。好ましくは、置換もしくは無置換のアルキレン、置換もしくは無置換のフェニレンであり、その中でも置換もしくは無置換のアルキレンが特に好ましい。
【０２０９】
更に詳しくは、炭素数１〜１８の直鎖または分岐鎖アルキレン基｛例えば、直鎖アルキレンの場合は-（ＣＨ2）n-：ｎ＝１〜１８の整数を表す｝が好ましく、特に炭素数１〜８の直鎖または分岐鎖アルキレン基が好ましく、その中でも炭素数２〜６の直鎖または分岐鎖アルキレン基が好ましい。
【０２１０】
Ｌは二価の連結基を表し、オキシ基（−Ｏ−）、チオ基（−Ｓ−）、カルボニル（−ＣＯ−）、スルホニル基（−ＳＯ2−）、イミノ基（−ＮＲ−）、スルファモイル（−ＳＯ2ＮＲ−）、カルバモイル基（−ＣＯＮＲ−）、アルコキシカルボニル基（−ＣＯ2−）、アシルアミノ基（−ＮＲＣＯ−）、スルホンアミド基（−ＮＲＳＯ2−）が好ましく、その中でもオキシ基（−Ｏ−）、スルファモイル（−ＳＯ2ＮＲ−）、カルバモイル基（−ＣＯＮＲ−）、アルコキシカルボニル基（−ＣＯ2−）が好ましく、特にスルファモイル（−ＳＯ2ＮＲ−）、アルコキシカルボニル基（−ＣＯ2−）が好ましい。
ただし、上記Ｌを説明する連結基の具体例を表す式中Ｒは水素原子、アルキル基、アリール基、ヘテロ環基を表し、好ましくは水素原子、アルキル基を表し、特に水素原子が好ましい。
【０２１１】
Ｑは水素原子または置換基を表す。好ましい置換基の例としては、前述したＺ１およびＺ２が有することができる置換基として挙げた基と同様のものが挙げられ、好ましい範囲も同様である。
更に詳しくは、アルキルオキシ基（例えば、メトキシ、エトキシ、２−メトキシエトキシ、３−イソプロピルオキシ、２−メタンスルホニルエトキシなどの各基）、アリールオキシ基（例えば、フェノキシ、２−メチルフェノキシ、４−ｔ−ブチルフェノキシ、４−メトキシフェノキシ、３−ｔ−ブチルオキシカルバモイルフェノキシなどの各基）が好ましく、特に炭素数１〜１８の直鎖または分岐鎖アルキルオキシ基が最も好ましく、その中でも炭素１〜８の直鎖または分岐鎖アルキルオキシ基が最も好ましい。
【０２１２】
一般式（Ｖ−２）で表される特に好ましい置換基Ｚ1は、−Ａ1−Ｌ−Ａ2−Ｑで表される基であり、一般式（ＶＩ）は−ＳＯ2−Ｚ1を少なくとも１つ（好ましくは１つ）有することが好ましい。
【０２１３】
上記Ａ1、Ａ2は、それぞれ独立に、置換もしくは無置換のアルキレン、置換もしくは無置換のフェニレン、置換もしくは無置換のナフチレン、置換もしくは無置換のヘテロ環基を表し、好ましくは、置換もしくは無置換のアルキレン、置換もしくは無置換のフェニレンであり、その中でも炭素数１〜１８の直鎖または分岐鎖アルキレン基｛例えば、直鎖アルキレンの場合は-（ＣＨ２）n-：ｎ＝１〜１８の整数を表す｝が好ましく、特に炭素数１〜８の直鎖または分岐鎖アルキレン基が好ましく、その中でも炭素数２〜６の直鎖または分岐鎖アルキレン基が好ましい。
【０２１４】
上記Ｌは二価の連結基を表し、オキシ基（−Ｏ−）、チオ基（−Ｓ−）、カルボニル（−ＣＯ−）、スルホニル基（−ＳＯ2−）、イミノ基（−ＮＲ−）、スルファモイル（−ＳＯ2ＮＲ−）、カルバモイル基（−ＣＯＮＲ−）、アルコキシカルボニル基（−ＣＯ2−）、アシルアミノ基（−ＮＲＣＯ−）、スルホンアミド基（−ＮＲＳＯ2−）が好ましく、その中でもオキシ基（−Ｏ−）、スルファモイル（−ＳＯ2ＮＲ−）、カルバモイル基（−ＣＯＮＲ−）、アルコキシカルボニル基（−ＣＯ2−）が好ましく、特にスルファモイル（−ＳＯ2ＮＲ−）、アルコキシカルボニル基（−ＣＯ2−）が好ましい。
ただし、上記Ｌを説明する連結基の具体例を表す式中Ｒは水素原子、アルキル基、アリール基、ヘテロ環基を表し、好ましくは水素原子、アルキル基を表し、特に水素原子が好ましい。
【０２１５】
上記Ｑは水素原子または置換基を表し、アルキルオキシ基（例えば、メトキシ、エトキシ、２−メトキシエトキシ、３−イソプロピルオキシなどの各基）、アリールオキシ基（例えば、フェノキシ、２−メチルフェノキシ、４−ｔ−ブチルフェノキシ、４−メトキシフェノキシなどの各基）が好ましく、特に炭素数１〜１８の直鎖または分岐鎖アルキルオキシ基が最も好ましく、その中でも炭素１〜８の直鎖または分岐鎖アルキルオキシ基が最も好ましい。
【０２１６】
尚、一般式（Ｖ）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０２１７】
一般式（Ｖ）で表される化合物の具体例としては、特開２００６−２８３２１号公報に記載の化合物を挙げることができる。
なかでも、当該公報に記載の例示化合物番号：１０１、１０２、１０３、１０７、１１２、１１７、が好ましく、１０１、１０２、１０３、１０７がより好ましい。
【０２１８】
＜一般式（ＶＩ）および（ＶＩＩ）で表される化合物＞
【０２１９】
【化４４】
2009235137.tif 000045
【０２２０】
【化４５】
2009235137.tif 000046
【０２２１】
一般式（ＶＩ）および（ＶＩＩ）においてＭは、水素原子、金属原子、金属酸化物、金属水酸化物または金属ハロゲン化物をあらわす。
Ｐｃは、（ｋ＋ｌ＋ｍ＋ｎ）価の一般式（ＶII）で表されるフタロシアニン核を表す。
【０２２２】
一般式（ＶＩ）中、Ｘ１、Ｘ２、Ｘ３、Ｘ４は各々独立に、−ＳＯ−Ｒ１、−ＳＯ２−Ｒ１、−ＳＯ２ＮＲ２Ｒ３、−ＣＯＮＲ２Ｒ３、−ＣＯ２−Ｒ１およびＣＯ−Ｒ１から選ばれる置換基を表し、かつ該置換基はフタロシアニン核中の４つのベンゼン環｛一般式（ＶＩＩ）中のＡ、Ｂ、Ｃ、Ｄ｝にそれぞれ少なくとも１個有する。本発明の化合物は、異なる複数の置換基を有する染料を含有する染料混合物である。染料同士においてフタロシアニン核の中心金属は異なることはない。
【０２２３】
前記置換基は、−ＳＯ−Ｒ１、−ＳＯ２−Ｒ１、−ＳＯ２ＮＲ２Ｒ３から選ばれる置換基が好ましく、−ＳＯ２−Ｒ１と−ＳＯ２−Ｒ２との組、又は−ＳＯ２−Ｒ１と−ＳＯ２ＮＲ２Ｒ３との組がより好ましく、−ＳＯ２−Ｒ１と−ＳＯ２−Ｒ２との組が特に好ましい。
【０２２４】
但し、Ｘ１、Ｘ２、Ｘ３およびＸ４がすべて同一であることはなく、その同一性（即ち、Ｘ１〜Ｘ４の同一の個数）は、溶解性、会合性等に応じて適宜変更することができる。
さらに、Ｘ１、Ｘ２、Ｘ３およびＸ４の少なくとも１つは炭素数２以上（好ましくは炭素数５０以下、より好ましくは３０以下）の置換基を有し、且つ、Ｘ１、Ｘ２、Ｘ３およびＸ４の置換基の炭素数の総和が８以上（好ましくは炭素数２００以下、より好ましくは１２０以下）であるが、イオン性親水性基を含まない。
【０２２５】
Ｒ１は置換もしくは無置換のアルキル基、置換もしくは無置換のアリール基、置換もしくは無置換のヘテロ環基が好ましく、その中でも置換アルキル基、置換アリール基、置換へテロ環基が最も好ましい。
【０２２６】
Ｒ２は水素原子、置換もしくは無置換のアルキル基、置換もしくは無置換のアリール基、置換もしくは無置換のヘテロ環基が好ましく、その中でも水素原子、置換アルキル基、置換アリール基、置換へテロ環基が最も好ましい。
【０２２７】
Ｒ３は置換もしくは無置換のアルキル基、置換もしくは無置換のアリール基、置換もしくは無置換のヘテロ環基が好ましく、その中でも置換アルキル基、置換アリール基、置換へテロ環基が最も好ましい。
【０２２８】
Ｒ１、Ｒ２及びＲ３が表す置換もしくは無置換のアルキル基としては、炭素原子数が１〜１２のアルキル基が好ましい。特に染料の溶解性やインク安定性を高めるという理由から、分岐のアルキル基が好ましく、特に不斉炭素を有する場合（ラセミ体での使用）が特に好ましい。
【０２２９】
置換基の例としては、後述のＲ１、Ｒ２およびＲ３が更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子を有していてもよい。
【０２３０】
Ｒ１、Ｒ２及びＲ３が表す置換もしくは無置換のシクロアルキル基としては、炭素原子数が５〜１２のシクロアルキル基が好ましい。特に染料の溶解性やインク安定性を高めるという理由から、不斉炭素を有する場合（ラセミ体での使用）が特に好ましい。
【０２３１】
置換基の例としては、後述のＲ１、Ｒ２およびＲ３が更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子を有していてもよい。
【０２３２】
Ｒ１、Ｒ２およびＲ３が表す置換もしくは無置換のアルケニル基としては、炭素原子数が２〜１２のアルケニル基が好ましい。特に染料の溶解性やインク安定性を高めるという理由から、分岐のアルケニル基が好ましく、特に不斉炭素を有する場合（ラセミ体での使用）が特に好ましい。
【０２３３】
置換基の例としては、後述のＲ１、Ｒ２およびＲ３が更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子を有していてもよい。
【０２３４】
Ｒ１、Ｒ２およびＲ３が表す置換もしくは無置換のアラルキル基としては、炭素原子数が７〜１８のアラルキル基が好ましい。特に染料の溶解性やインク安定性を高めるという理由から、分岐のアルキル基が好ましく、特に不斉炭素を有する場合（ラセミ体での使用）が特に好ましい。
【０２３５】
置換基の例としては、後述のＲ１、Ｒ２およびＲ３が更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子を有していてもよい。
【０２３６】
Ｒ１、Ｒ２およびＲ３が表す置換もしくは無置換のアリール基としては、炭素原子数が６〜１２のアリール基が好ましい。
【０２３７】
置換基の例としては、後述のＲ１、Ｒ２およびＲ３が更に置換基を持つことが可能な場合の置換基と同じものが挙げられる。中でも染料の酸化電位を貴とし堅牢性を向上させるので電子吸引性基が特に好ましい。中でも、ハロゲン原子、ヘテロ基、シアノ基、カルボキシル基、アシルアミノ基、スルホンアミド基、スルファモイル基、カルバモイル基、スルホニル基、イミド基、アシル基、スルホ基、４級アンモニウム基好ましく、シアノ基、カルボキシル基、スルファモイル基、カルバモイル基、スルホニル基、イミド基、アシル基、スルホ基、４級アンモニウム基が更に好ましい。
【０２３８】
Ｒ１、Ｒ２およびＲ３が表すヘテロ環基としては、５員又は６員環のものが好ましく、それらは更に縮環していてもよい。また、芳香族ヘテロ環基であっても非芳香族ヘテロ環基であってもよい。
【０２３９】
以下にＲ１、Ｒ２およびＲ３で表されるヘテロ環基を、置換位置を省略してヘテロ環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【０２４０】
中でも芳香族ヘテロ基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。
【０２４１】
それらは置換基を有していてもよく、置換基の例としては、後述のＲ１、Ｒ２およびＲ３が更に置換基を持つことが可能な場合の置換基と同じものが挙げられる。
【０２４２】
好ましい置換基は前記アリール基の置換基と、更に好ましい置換基は、前記アリール基の更に好ましい置換基とそれぞれ同じである。
【０２４３】
Ｒ１、Ｒ２およびＲ３が更に置換基を有することが可能な基であるときは、以下に挙げたような置換基を更に有してもよい。
【０２４４】
炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニル）、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、スルホンアミド基（例えば、メタンスルホンアミド、ベンゼンスルホンアミド、ｐ−トルエンスルホンアミド）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メタンスルホニル、オクタンスルホニル、ベンゼンスルホニル、トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば��トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）が挙げられる。
【０２４５】
一般式（ＶＩ）中、ｋ、ｌ、ｍおよびｎは、０＜ｋ＜８の整数を表し、０＜ｌ＜８の整数を表し、０≦ｍ＜８の整数を表し、０≦ｎ＜８の整数を表す。
【０２４６】
但し、ｋ、ｌ、ｍおよびｎは４≦ｋ＋ｌ＋ｍ＋ｎ≦８を満たす数を表す。
【０２４７】
更に、ｋ、ｌ、ｍ、ｎは、０＜ｋ＜８の整数を表し、０＜ｌ＜８の整数を表し、０≦ｍ＜８の整数を表し、０＝ｎが好ましく、特に０＜ｋ＜８の整数を表し、０＜ｌ＜８の整数を表し、ｍ＝ｎ＝０が好ましく、その中でも特に０＜ｋ＜４の整数を表し、０＜ｌ＜４の整数を表し（ｋ＋ｌ＝４を満たす数を表す）、ｍ＝ｎ＝０が最も好ましい。
【０２４８】
一般式（ＶＩＩ）中、Ｙ１、Ｙ２、Ｙ３、Ｙ４、Ｙ５、Ｙ６、Ｙ７およびＹ８は、各々独立に、水素原子又は一価の置換基を表す。この一価の置換基の例としては、ハロゲン原子、アルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基を挙げることができ、各々はさらに置換基を有していてもよい。
【０２４９】
中でも特に好ましいものは、水素原子、ハロゲン原子、アルキル基、アリール基、シアノ基、アルコキシ基、アミド基、ウレイド基、スルホンアミド基、カルバモイル基、スルファモイル基、アルコキシカルボニル基であり、特に水素原子、ハロゲン原子、シアノ基が好ましく、水素原子が最も好ましい。また、この一価の置換基が有する炭素原子の数は２以上であることが好ましい。
【０２５０】
Ｙ１〜Ｙ８は更に置換基を有していてもよく、その場合の置換基としては、上述したＲ１、Ｒ２およびＲ３が更に置換基を有する場合に挙げられた置換基と同様のものが挙げられる。
【０２５１】
前記一般式（ＶＩ）及び（ＶＩＩ）で表される混合物として特に好ましい組み合わせは、
（イ）Ｘ１、Ｘ２、Ｘ３及びＸ４が、それぞれ独立に、−ＳＯ−Ｒ１、−ＳＯ２−Ｒ１、−ＳＯ２ＮＲ２Ｒ３、−ＣＯＮＲ２Ｒ３、−ＣＯ２−Ｒ１、又はＣＯ−Ｒ１が好ましく、更に−ＳＯ２−Ｒ１、−ＳＯ２ＮＲ２Ｒ３、−ＣＯＮＲ２Ｒ３、−ＣＯ２−Ｒ１、又はＣＯ−Ｒ１が好ましく、特に−ＳＯ２−Ｒ１又はＳＯ２ＮＲ２Ｒ３が好ましく、−ＳＯ２−Ｒ１が最も好ましい。
【０２５２】
（ロ）Ｒ１は置換もしくは無置換のアルキル基、置換もしくは無置換のアリール基または置換もしくは無置換のヘテロ環基が好ましく、更に置換アルキル基、置換アリール基または置換へテロ環基が好ましく、その中でも水酸基を置換基として有する置換アルキル基が最も好ましい。
【０２５３】
（ハ）Ｒ２は水素原子、置換もしくは無置換のアルキル基、置換もしくは無置換のアリール基または置換もしくは無置換のヘテロ環基が好ましく、更に水素原子、置換アルキル基、置換アリール基または置換へテロ環基が好ましく、その中でも水素原子が最も好ましい。
【０２５４】
（ニ）Ｒ３は置換もしくは無置換のアルキル基、置換もしくは無置換のアリール基または置換もしくは無置換のヘテロ環基が好ましく、更に置換アルキル基、置換アリール基または置換へテロ環基が好ましく、その中でも水酸基を置換基として有する置換アルキル基が最も好ましい。
【０２５５】
（ホ）Ｙ１〜Ｙ８は、それぞれ独立に、水素原子、ハロゲン原子、アルキル基、アリール基、シアノ基、アルコキシ基、アミド基、ウレイド基、スルホンアミド基、カルバモイル基、スルファモイル基、アルコキシカルボニル基が好ましく、水素原子、ハロゲン原子がさらに好ましく、特に水素原子が最も好ましい。
【０２５６】
（ヘ）Ｍとしては、Ｃｕ、Ｎｉ、Ｚｎ、Ａｌ等が好ましく、Ｃｕが最も好ましい。
【０２５７】
一般式（ＶＩ）で表される染料混合物中、フタロシアニン核１単位あたり炭素数２以上（好ましくは炭素数５０以下、より好ましくは３０以下）の置換基を少なくとも１個以上有するものが好ましく、特に、フタロシアニン核１単位あたり置換基の炭素数の総和が８以上（好ましくは炭素数２００以下、より好ましくは１２０以下）有するのもが好ましく、その中でもフタロシアニン核１単位あたり置換基の炭素数の総和が１０以上（好ましくは炭素数２００以下、より好ましくは１２０以下）有するものが、最も好ましい。但しイオン性親水性基を含まない。
【０２５８】
一般式（ＶＩ）で表される染料混合物は、フタロシアニン核１単位あたり少なくとも炭素数２以上の置換基を有するので、油性媒体中に対する溶解性、又は分散性が良好である。
【０２５９】
本発明の一般式（ＶＩ）で表される染料混合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２６０】
一般式（ＶＩ）および（ＶＩＩ）で表される化合物の具体例としては、特開２００６−２８４５０号公報に記載の化合物を挙げることができる。
なかでも、当該公報に記載の例示化合物番号：１０１、１０２、１０４、１１０、１１４、１２０が好ましく、１０１、１０４、１１４がより好ましい。
【０２６１】
上記一般式（Ｉ）〜（ＶＩＩ）で表される化合物の少なくとも１種を含有する、本発明の染料の含有量は、インク全量中に０．０５〜１０質量％が好ましく、０．１〜６質量％がより好ましく、０．２〜３質量％が更に好ましい。
【０２６２】
＜顔料＞
本発明に使用できる顔料としては、特に限定されるわけではないが、例えば、カラーインデックスに記載される下記の番号の有機又は無機顔料が使用できる。
【０２６３】
赤或いはマゼンタ顔料としては、例えば、Ｐｉｇｍｅｎｔ  Ｒｅｄ  ３，５，１９，２２，３１，３８，４３，４８：１，４８：２，４８：３，４８：４，４８：５，４９：２，５３：１，５７：１，５７：２，５８：４，６３：１，８１，８１：１，８１：２，８１：３，８１：４，８８，１０４，１０８，１１２，１２２，１２３，１４４，１４６，１４９，１６６，１６８，１６９，１７０，１７７，１７８，１７９，１８４，１８５，２０８，２１６，２２６，２５７，Ｐｉｇｍｅｎｔ  Ｖｉｏｌｅｔ  ３，１９，２３，２９，３０，３７，５０，８８，Ｐｉｇｍｅｎｔ  Ｏｒａｎｇｅ  １３，１６，２０，３６，４３，７１、等が挙げられる。
青又はシアン顔料としては、例えば、Ｐｉｇｍｅｎｔ  Ｂｌｕｅ  １，１５，１５：１，１５：２，１５：３，１５：４，１５：６，１６，１７−１，２２，２７，２８，２９，３６，６０、等が挙げられる。
緑顔料としては、例えば、Ｐｉｇｍｅｎｔ  Ｇｒｅｅｎ  ７，２６，３６，５０、等が挙げられる。
黄顔料としては、例えば、Ｐｉｇｍｅｎｔ  Ｙｅｌｌｏｗ  １，３，１２，１３，１４，１７，３４，３５，３７，５５，７４，８１，８３，９３，９４，９５，９７，１０８，１０９，１１０，１２０，１３７，１３８，１３９，１５３，１５４，１５５，１５７，１６６，１６７，１６８，１８０，１８５，１９３、等が挙げられる。
黒顔料としては、例えば、Ｐｉｇｍｅｎｔ  Ｂｌａｃｋ  ７，２８，２６、等が挙げられる。
白色顔料としては、例えば、ＰｉｇｍｅｎｔＷｈｉｔｅ  ６，１８，２１、等が挙げられる。
これらの顔料は、使用するインク組成物の色特性などの目的に応じて、併用する油溶性染料との＊ａ値又は＊ｂ値の差の絶対値が６０以上となるように、適宜選択して使用できる。
【０２６４】
顔料の含有量は、インク全量中に０．５〜１２質量％が好ましく、０．８〜８質量％がより好ましく、１〜５質量％が更に好ましい。
【０２６５】
色材としての顔料および油溶性染料の総含有量は、インク全量中に０．６〜１５質量％が好ましく、１〜１０質量％がより好ましく、２〜８質量％が更に好ましい。
インク組成物中における、顔料および油溶性染料の含有比率は、９５：５〜６０：４０であり、より好ましくは９０：１０〜６５：３５であり、更に好ましくは８５：１５〜７０：３０である。
【０２６６】
本発明のオレンジインクは、Ｌ＊ａ＊ｂ＊値がＬ＊＝５０〜９０、ａ＊＝２５〜７５、ｂ＊＝５５〜１０５であることを特徴とする。
ここでより好ましくは、Ｌ＊＝５５〜８５、ａ＊＝３０〜７０、ｂ＊＝６０〜１００であり、更に好ましくは、Ｌ＊＝６０〜８０、ａ＊＝３５〜６５、ｂ＊＝６５〜９５である。
このようなオレンジインクを調製する際には、イエロー系の顔料にマゼンタ系の染料を組み合わせる、或いは、マゼンタ系の顔料にイエロー系の染料を組み合わせることが好ましい。
【０２６７】
このような組合せでは、イエロー系の顔料は、Ｌ＊＝７０〜１０４、ａ＊＝−４０〜１０、ｂ＊＝７０〜１２０であり、マゼンタ系の染料は、Ｌ＊＝３０〜６４、ａ＊＝５５〜１０５、ｂ＊＝−４０〜１０である。従って、ａ＊値及びｂ＊の上限値、下限値の最も狭い差異をとった場合でもｂ＊値の差異が６０となるため、両者の組合せが好ましいといえる。
また、マゼンタ系の顔料は、Ｌ＊＝３０〜６４、ａ＊＝５５〜１０５、ｂ＊＝−４０〜１０であり、イエロー系の染料は、７０〜１０４、ａ＊＝−４０〜１０、ｂ＊＝７０〜１２０である。従って、ａ＊値及び、ｂ＊の上限値、下限値の最も狭い差異をとった場合でもｂ＊値の差異が６０となるため、両者の組合せが好ましいといえる。
【０２６８】
本発明のオレンジインクにおける顔料と油溶性染料の好ましい組合せは、顔料がＰｉｇｍｅｎｔ  Ｒｅｄ  １１２，１２２，４９：２、Ｐｉｇｍｅｎｔ  Ｏｒａｎｇｅ  ３６，４３，７１、Ｐｉｇｍｅｎｔ  Ｙｅｌｌｏｗ  ７４，９３，９７，１１０，１２０，１３８，１３９，１５４，１５５，１８０，１８５であり、油溶性染料が前記一般式（Ｉ）〜（IV）である。更に好ましい組合せは、顔料がＰｉｇｍｅｎｔ  Ｏｒａｎｇｅ  ３６，４３，７１、Ｐｉｇｍｅｎｔ  Ｙｅｌｌｏｗ  １２０，１３８，１５５，１８０であり、油溶性染料が、一般式（I）の化合物番号ＤＹＥ−Ａ２〜ＤＹＥ−Ａ４、ＤＹＥ−Ａ６、ＤＹＥ−Ａ７、ＤＹＥ−Ａ１１、一般式（II）の化合物番号ＤＹＥ−Ｂ１、ＤＹＥ−Ｂ２、ＤＹＥ−Ｂ１２、一般式（III）の化合物番号ＤＹＥ−Ｃ１、ＤＹＥ−Ｃ６、ＤＹＥ−Ｃ１０、一般式（IV）の化合物番号ＤＹＥ−Ｄ９、ＤＹＥ−Ｄ１６、ＤＹＥ−Ｄ２９である。
【０２６９】
本発明のグリーンインクは、Ｌ＊ａ＊ｂ＊値がＬ＊＝４０〜８０、ａ＊＝−１０５〜−５５、ｂ＊＝−１５〜３５であることを特徴とする。
ここでより好ましくは、Ｌ＊＝４５〜７５、ａ＊＝−１００〜−６０、ｂ＊＝−１０〜３０であり、更に好ましくは、Ｌ＊＝５０〜７０、ａ＊＝−９５〜−６５、ｂ＊＝−５〜２５である。
このようなグリーンインクを調製する際には、イエロー系の顔料にシアン系の染料を組み合わせる、或いは、シアン系の顔料にイエロー系の染料を組み合わせることが好ましい。
【０２７０】
このような組合せでは、イエロー系の顔料は、Ｌ＊＝７０〜１０４、ａ＊＝−４０〜１０、ｂ＊＝７０〜１２０であり、シアン系の染料は、Ｌ＊＝３５〜６９、ａ＊＝−６０〜−１０、ｂ＊＝−７０〜−２０である。従って、ａ＊値及びｂ＊の上限値、下限値の最も狭い差異をとった場合、ｂ＊値の差異が９０となるため、両者の組合せが好ましいといえる。
また、シアン系の顔料は、Ｌ＊＝３５〜６９、ａ＊＝−６０〜−１０、ｂ＊＝−７０〜−２０であり、イエロー系の染料は、Ｌ＊＝７０〜１０４、ａ＊＝−４０〜１０、ｂ＊＝７０〜１２０である。従って、ａ＊値及び、ｂ＊の上限値、下限値の最も狭い差異をとった場合、ｂ＊値の差異が９０となるため、両者の組合せが好ましいといえる。
【０２７１】
本発明のグリーンインクにおける顔料と油溶性染料の好ましい組合せは、顔料がＰｉｇｍｅｎｔ  Ｂｌｕｅ  １５，１５：１，１５：３，１５：４、Ｐｉｇｍｅｎｔ  Ｇｒｅｅｎ  ７，２６，３６，５０、Ｐｉｇｍｅｎｔ  Ｙｅｌｌｏｗ  １２０，１３８，１５５，１８０であり、油溶性染料が前記一般式（Ｉ）〜（III）,(V)〜(VII)である。更に好ましい組合せは、顔料がＰｉｇｍｅｎｔ  Ｂｌｕｅ  １５，１５：３，Ｐｉｇｍｅｎｔ  Ｇｒｅｅｎ  ７，２６，３６，５０、Ｐｉｇｍｅｎｔ  Ｙｅｌｌｏｗ  １２０，１５５，１８０であり、油溶性染料が、一般式（I）の化合物番号ＤＹＥ−Ａ２〜ＤＹＥ−Ａ４、ＤＹＥ−Ａ６、ＤＹＥ−Ａ７、ＤＹＥ−Ａ１１、一般式（II）の化合物番号ＤＹＥ−Ｂ１、ＤＹＥ−Ｂ２、ＤＹＥ−Ｂ１２、一般式（III）の化合物番号ＤＹＥ−Ｃ１、ＤＹＥ−Ｃ６、ＤＹＥ−Ｃ１０、一般式（Ｖ）で表される化合物（特開２００６−２８３２１号公報に記載の例示化合物番号）１０１、１０２、１０３、１０７、一般式（ＶＩ）および（ＶＩＩ）で表される化合物（特開２００６−２８４５０号公報に記載の例示化合物番号）１０１、１０４、１１４である。
【０２７２】
本発明のバイオレットインクは、Ｌ＊ａ＊ｂ＊値がＬ＊＝１０〜５０、ａ＊＝３５〜８５、ｂ＊＝−９０〜−４０であることを特徴とする。
ここでより好ましくは、Ｌ＊＝１５〜４５、ａ＊＝４０〜８０、ｂ＊＝−８５〜−４５であり、更に好ましくは、Ｌ＊＝２０〜４０、ａ＊＝４５〜７５、ｂ＊＝−８０〜−５０である。
このようなバイオレットインクを調製する際には、マゼンタ系の顔料にシアン系の染料を組み合わせる、或いは、シアン系の顔料にマゼンタ系の染料を組み合わせることが好ましい。
【０２７３】
このような組合せでは、マゼンタ系の顔料は、Ｌ＊＝３０〜６４、ａ＊＝５５〜１０５、ｂ＊＝−４０〜１０であり、シアン系の染料は、Ｌ＊＝３５〜６９、ａ＊＝−６０〜−１０、ｂ＊＝−７０〜−２０である。従って、ａ＊値及びｂ＊の上限値、下限値の最も狭い差異をとった場合、ａ＊値の差異が６５となるため、両者の組合せが好ましいといえる。
また、シアン系の顔料は、Ｌ＊＝３５〜６９、ａ＊＝−６０〜−１０、ｂ＊＝−７０〜−２０であり、マゼンタ系の染料は、Ｌ＊＝３０〜６４、ａ＊＝５５〜１０５、ｂ＊＝−４０〜１０である。従って、ａ＊値及び、ｂ＊の上限値、下限値の最も狭い差異をとった場合、ａ＊値の差異が６５となるため、両者の組合せが好ましいといえる。
【０２７４】
本発明のバイオレットインクにおける顔料と油溶性染料の好ましい組合せは、顔料がＰｉｇｍｅｎｔ  Ｒｅｄ  ５７：１、１７７、Ｐｉｇｍｅｎｔ  Ｖｉｏｌｅｔ  ３，１９，２３，２９，３０，３７，５０，８８、Ｐｉｇｍｅｎｔ  Ｂｌｕｅ  ６０であり、油溶性染料が前記一般式（IV）〜（ＶＩＩ）である。更に好ましい組合せは、顔料がＰｉｇｍｅｎｔ  Ｖｉｏｌｅｔ  １９，２３、Ｐｉｇｍｅｎｔ  Ｂｌｕｅ  ６０であり、油溶性染料が、一般式（IV）の化合物番号ＤＹＥ−Ｄ９、ＤＹＥ−Ｄ１６、ＤＹＥ−Ｄ２９、一般式（Ｖ）で表される化合物（特開２００６−２８３２１号公報に記載の例示化合物番号）１０１、１０２、１０３、１０７、一般式（ＶＩ）および（ＶＩＩ）で表される化合物（特開２００６−２８４５０号公報に記載の例示化合物番号）１０１、１０４、１１４である。
【０２７５】
上述した各インクの色度は、ＣＩＥ１９７６Ｌ*ａ*ｂ*表色空間（以下、「ＣＩＥＬＡＢ表色空間」と称する場合がある）により求められる数値である。
尚、ＣＩＥ１９７６Ｌ*ａ*ｂ*表色空間の詳細は、日本写真学会・日本画像学会編「ファインイメージングとカラーハードコピー」３５４ページ（１９９９年、コロナ社刊行）に詳記されている。また、この表色空間を用いる際の３色刺激値は、蛍光性反射物体のＸ，Ｙ，Ｚ座標の３刺激値測定方法を規定したＪＩＳ  Ｚ８７１７記載の方法に従って求められた値である。ＣＩＥＬＡＢ表色空間上の色度は、基準となる白色の色度を標準昼光の国際標準である  ＣＩＥＤ６５  （６５０４Ｋ）において測定する。
【０２７６】
＜重合性化合物＞
本発明のインク組成物は、カチオン重合性化合物やラジカル重合性化合物等の、重合性化合物を含有することを必須とする。
【０２７７】
−カチオン重合性化合物−
本発明に用いうるカチオン重合性化合物としては、後述する、放射線の照射により酸を発生する化合物から発生する酸により重合反応を開始し、硬化する化合物が好ましく、光カチオン重合性化合物として知られる各種公知のカチオン重合性のモノマーを使用することができる。カチオン重合性化合物としては、例えば、特開平６−９７１４号、特開２００１−３１８９２号、同２００１−４００６８号、同２００１−５５５０７号、同２００１−３１０９３８号、同２００１−３１０９３７号、同２００１−２２０５２６号などの各公報に記載されているエポキシ化合物、ビニルエーテル化合物、オキセタン化合物などが挙げられる。
【０２７８】
エポキシ化合物としては、芳香族エポキシド及び脂環式エポキシドなどが挙げられる。
芳香族エポキシドとしては、少なくとも１個の芳香族核を有する多価フェノール或いはそのアルキレンオキサイド付加体とエピクロルヒドリンとの反応によって製造されるジ又はポリグリシジルエーテルが挙げられ、例えば、ビスフェノールＡ或いはそのアルキレンオキサイド付加体のジ又はポリグリシジルエーテル、水素添加ビスフェノールＡ或いはそのアルキレンオキサイド付加体のジ又はポリグリシジルエーテル、並びにノボラック型エポキシ樹脂等が挙げられる。ここでアルキレンオキサイドとしては、エチレンオキサイド及びプロピレンオキサイド等が挙げられる。
【０２７９】
脂環式エポキシドとしては、少なくとも１個のシクロへキセン又はシクロペンテン環等のシクロアルカン環を有する化合物を、過酸化水素、過酸等の適当な酸化剤でエポキシ化することによって得られる、シクロヘキセンオキサイド又はシクロペンテンオキサイド含有化合物が好ましく挙げられる。
脂肪族エポキシドとしては、脂肪族多価アルコール或いはそのアルキレンオキサイド付加体のジ又はポリグリシジルエーテル等があり、その代表例としては、エチレングリコールのジグリシジルエーテル、プロピレングリコールのジグリシジルエーテル又は１，６−ヘキサンジオールのジグリシジルエーテル等のアルキレングリコールのジグリシジルエーテル、グリセリン或いはそのアルキレンオキサイド付加体のジ又はトリグリシジルエーテル等の多価アルコールのポリグリシジルエーテル、ポリエチレングリコール或いはそのアルキレンオキサイド付加体のジグリシジルエーテル、ポリプロピレングリコール或いはそのアルキレンオキサイド付加体のジグリシジルエーテルに代表されるポリアルキレングリコールのジグリシジルエーテル等が挙げられる。ここでアルキレンオキサイドとしては、エチレンオキサイド及びプロピレンオキサイド等が挙げられる。
【０２８０】
本発明に用いることのできる単官能及び多官能のエポキシ化合物を例示する。
単官能エポキシ化合物の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、３−メタクリロイルオキシメチルシクロヘキセンオキサイド、３−アクリロイルオキシメチルシクロヘキセンオキサイド、３−ビニルシクロヘキセンオキサイド等が挙げられる。
【０２８１】
また、多官能エポキシ化合物の例としては、例えば、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、エポキシノボラック樹脂、水添ビスフェノールＡジグリシジルエーテル、水添ビスフェノールＦジグリシジルエーテル、水添ビスフェノールＳジグリシジルエーテル、３，４−エポキシシクロヘキシルメチル−３’，４’−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、１，１，３−テトラデカジエンジオキサイド、リモネンジオキサイド、１，２，７，８−ジエポキシオクタン、１，２，５，６−ジエポキシシクロオクタン等が挙げられる。
【０２８２】
これらのエポキシ化合物の中でも、芳香族エポキシド及び脂環式エポキシドが、硬化速度に優れるという観点から好ましく、特に脂環式エポキシドが好ましい。
【０２８３】
ビニルエーテル化合物としては、例えばエチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−Ｏ−プロピレンカーボネート、ドデシルビニルエーテル、ジエチレングリコールモノビニルエーテル、オクタデシルビニルエーテル等のモノビニルエーテル化合物等が挙げられる。
【０２８４】
以下に、単官能ビニルエーテルと多官能ビニルエーテルを例示する。
単官能ビニルエーテルの例としては、例えば、メチルビニルエーテル、エチルビニルエーテル、プロピルビニルエーテル、ｎ−ブチルビニルエーテル、ｔ−ブチルビニルエーテル、２−エチルヘキシルビニルエーテル、ｎ−ノニルビニルエーテル、ラウリルビニルエーテル、シクロヘキシルビニルエーテル、シクロヘキシルメチルビニルエーテル、４−メチルシクロヘキシルメチルビニルエーテル、ベンジルビニルエーテル、ジシクロペンテニルビニルエーテル、２−ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフルフリルビニルエーテル、２−ヒドロキシエチルビニルエーテル、２−ヒドロキシプロピルビニルエーテル、４−ヒドロキシブチルビニルエーテル、４−ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル、フェノキシポリエチレングリコールビニルエーテル等が挙げられる。
【０２８５】
また、多官能ビニルエーテルの例としては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキサイドジビニルエーテル、ビスフェノールＦアルキレンオキサイドジビニルエーテルなどのジビニルエーテル類；トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル、プロピレンオキサイド付加ジペンタエリスリトールヘキサビニルエーテルなどの多官能ビニルエーテル類等が挙げられる。
ビニルエーテル化合物としては、ジ又はトリビニルエーテル化合物が、硬化性、被記録媒体との密着性、形成された画像の表面硬度などの観点から好ましく、特にジビニルエーテル化合物が好ましい。
【０２８６】
本発明に使用できるオキセタン化合物としては、特開２００１−２２０５２６号、同２００１−３１０９３７号、同２００３−３４１２１７号の各公報に記載される如き、公知のオキセタン化合物を任意に選択して使用できる。本発明のインク組成物に使用しうるオキセタン環を有する化合物としては、その構造内にオキセタン環を１〜４個有する化合物が好ましい。このような化合物を使用することで、組成物の粘度をハンドリング性の良好な範囲に維持することが容易となる。
【０２８７】
本発明のインク組成物に使用される分子内に１〜２個のオキセタン環を有する化合物としては、下記式（１）〜（３）で示される化合物等が挙げられる。
【０２８８】
【化４６】
2009235137.tif 000047
【０２８９】
Ｒａ１は、水素原子、炭素数１〜６のアルキル基、炭素数１〜６のフルオロアルキル基、アリル基、アリール基、フリル基又はチエニル基を表す。分子内に２つのＲａ１が存在する場合、それらは同じであっても異なるものであってもよい。
アルキル基としては、メチル基、エチル基、プロピル基、ブチル基等が挙げられ、フルオロアルキル基としては、これらアルキル基の水素のいずれかがフッ素原子で置換されたものが好ましく挙げられる。
Ｒａ２は、水素原子、炭素数１〜６個のアルキル基、炭素数２〜６個のアルケニル基、芳香環を有する基、炭素数２〜６個のアルキルカルボニル基、炭素数２〜６個のアルコキシカルボニル基、炭素数２〜６個のＮ−アルキルカルバモイル基を表す。アルキル基としては、メチル基、エチル基、プロピル基、ブチル基等が挙げられ、アルケニル基としては、１−プロペニル基、２−プロペニル基、２−メチル−１−プロペニル基、２−メチル−２−プロペニル基、１−ブテニル基、２−ブテニル基、３−ブテニル基等が挙げられ、芳香環を有する基としては、フェニル基、ベンジル基、フルオロベンジル基、メトキシベンジル基、フェノキシエチル基等が挙げられる。アルキルカルボニル基としては、エチルカルボニル基、プロピルカルボニル基、ブチルカルボニル基等が、アルキコキシカルボニル基としては、エトキシカルボニル基、プロポキシカルボニル基、ブトキシカルボニル基等が、Ｎ−アルキルカルバモイル基としては、エチルカルバモイル基、プロピルカルバモイル基、ブチルカルバモイル基、ペンチルカルバモイル基等が挙げられる。また、Ｒａ２は置換基を有していてもよく、置換基としては、１〜６のアルキル基、フッ素原子が挙げられる。
【０２９０】
Ｒａ３は、炭素数１〜１５の線状又は分枝状アルキレン基、線状又は分枝状不飽和炭化水素基、カルボニル基又はカルボニル基を含むアルキレン基、カルボキシル基を含むアルキレン基、カルバモイル基を含むアルキレン基、又は、以下に示す基を表す。
アルキレン基としては、例えば、エチレン基、プロピレン基、ブチレン基が挙げられ、ポリ（アルキレンオキシ）基としては、ポリ（エチレンオキシ）基、ポリ（プロピレンオキシ）基等が挙げられる。不飽和炭化水素基としては、プロペニレン基、メチルプロペニレン基、ブテニレン基等が挙げられる。
【０２９１】
【化４７】
2009235137.tif 000048
【０２９２】
Ｒａ３が上記多価基である場合、Ｒａ４は、水素原子、炭素数１〜４個のアルキル基、炭素数１〜４個のアルコキシ基、ハロゲン原子、ニトロ基、シアノ基、メルカプト基、低級アルキルカルボキシル基、カルボキシル基、又はカルバモイル基を表す。
Ｒａ５は、酸素原子、硫黄原子、メチレン基、ＮＨ、ＳＯ、ＳＯ２、Ｃ（ＣＦ３）２、又は、Ｃ（ＣＨ３）２を表す。
Ｒａ６は、炭素数１〜４個のアルキル基、又は、アリール基を表し、ｎは０〜２，０００の整数である。Ｒａ７は炭素数１〜４個のアルキル基、アリール基、又は、下記構造を有する１価の基を表す。下記式中、Ｒａ８は炭素数１〜４個のアルキル基、又はアリール基であり、ｍは０〜１００の整数である。
【０２９３】
【化４８】
2009235137.tif 000049
【０２９４】
式（１）で表される化合物としては、３−エチル−３−ヒドロキシメチルオキセタン（ＯＸＴ−１０１：東亞合成（株）製）、３−エチル−３−（２−エチルヘキシロキシメチル）オキセタン（ＯＸＴ−２１２：東亞合成（株）製）、３−エチル−３−フェノキシメチルオキセタン（ＯＸＴ−２１１：東亞合成（株）製）が挙げられる。式（２）で表される化合物としては、１，４−ビス［（３−エチル−３−オキセタニルメトキシ）メチル］ベンゼン（ＯＸＴ−１２１：東亞合成（株））が挙げられる。また、式（３）で表される化合物としては、ビス（３−エチル−３−オキセタニルメチル）エーテル（ＯＸＴ−２２１：東亞合成（株））が挙げられる。
【０２９５】
３〜４個のオキセタン環を有する化合物としては、下記式（４）で示される化合物が挙げられる。
【０２９６】
【化４９】
2009235137.tif 000050
【０２９７】
式（４）において、Ｒａ１は、前記式（１）におけるのと同義である。また、多価連結基であるＲａ９としては、例えば、下記Ａ〜Ｃで示される基等の炭素数１〜１２の分枝状アルキレン基、下記Ｄで示される基等の分枝状ポリ（アルキレンオキシ）基又は下記Ｅで示される基等の分枝状ポリシロキシ基等が挙げられる。ｊは、３又は４である。
【０２９８】
【化５０】
2009235137.tif 000051
【０２９９】
上記Ａにおいて、Ｒａ１０はメチル基、エチル基又はプロピル基を表す。また、上記Ｄにおいて、ｐは１〜１０の整数である。
【０３００】
また、本発明に好適に使用しうるオキセタン化合物の別の態様として、側鎖にオキセタン環を有する下記式（５）で示される化合物が挙げられる。
【０３０１】
【化５１】
2009235137.tif 000052
【０３０２】
式（５）において、Ｒａ１は、前記式（１）におけるのと同義であり、Ｒａ８は炭素数１〜４個のアルキル基、又はアリール基である。Ｒａ１１はメチル基、エチル基、プロピル基又はブチル基等の炭素数１〜４のアルキル基又はトリアルキルシリル基であり、ｒは１〜４である。
【０３０３】
このようなオキセタン環を有する化合物については、特開２００３−３４１２１７号公報、段落番号［００２１］乃至［００８４］に詳細に記載され、ここに記載の化合物は本発明にも好適に使用しうる。
特開２００４−９１５５６号公報に記載されたオキセタン化合物も本発明に併用することができる。当該化合物は、同公報の段落番号［００２２］乃至［００５８］に詳細に記載されている。
本発明に併用される他のオキセタン化合物の中でも、組成物の粘度と粘着性の観点から、オキセタン環を１個有する化合物を使用することが好ましい。
【０３０４】
本発明のインク組成物にカチオン重合性化合物が用られる場合、インク組成物の全固形分に対して６０質量％以上含有することが好ましく、７０質量％以上含有することがより好ましい。尚、カチオン重合性化合物の添加量の上限としては、９５質量％以下であることが好ましい。
また更に、カチオン重合性化合物の中でもカチオン重合性単官能モノマーを５０質量％以上含有することが好ましく、６０質量％以上含有することがより好ましい。カチオン重合性単官能モノマーを上記範囲含有することにより、硬化膜の柔軟性が向上する効果が得られる。
【０３０５】
−ラジカル重合性化合物−
また、本発明のインク組成物に用いうるラジカル重合性化合物としては、ラジカル重合可能なエチレン性不飽和結合を有する化合物であり、分子中にラジカル重合可能なエチレン性不飽和結合を少なくとも１つ有する化合物であればどのようなものでもよく、モノマー、オリゴマー、ポリマー等の化学形態を持つものが含まれる。ラジカル重合性化合物は１種のみ用いてもよく、また目的とする特性を向上するために任意の比率で２種以上を併用してもよい。好ましくは２種以上併用して用いることが、反応性、物性などの性能を制御する上で好ましい。
【０３０６】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。
【０３０７】
具体的には、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ネオペンチルグリコールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、テトラメチロールメタンテトラアクリレート、オリゴエステルアクリレート、Ｎ−メチロールアクリルアミド、ジアセトンアクリルアミド、エポキシアクリレート等のアクリル酸誘導体、メチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル誘導体、その他、アリルグリシジルエーテル、ジアリルフタレート、トリアリルトリメリテート等のアリル化合物の誘導体が挙げられ、更に具体的には、山下晋三編、「架橋剤ハンドブック」、（１９８１年大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品若しくは業界で公知のラジカル重合性乃至架橋性のモノマー、オリゴマー、及びポリマーを用いることができる。
【０３０８】
また、ラジカル重合性化合物としては、例えば、特開平７−１５９９８３号、特公平７−３１３９９号、特開平８−２２４９８２号、特開平１０−８６３号、特開平９−１３４０１１号等の各公報に記載されている光重合性組成物に用いられる光硬化型の重合性化合物材料が知られており、これらも本発明のインク組成物に適用することができる。
【０３０９】
更に、ラジカル重合性化合物として、ビニルエーテル化合物を用いることも好ましい。好適に用いられるビニルエーテル化合物としては、例えば、エチレングリコールジビニルエーテル、エチレングリコールモノビニルエーテル、ジエチレングリコールジビニルエーテル、トリエチレングリコールモノビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、ヒドロキシエチルモノビニルエーテル、ヒドロキシノニルモノビニルエーテル、トリメチロールプロパントリビニルエーテル等のジ又はトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−Ｏ−プロピレンカーボネート、ドデシルビニルエーテル、ジエチレングリコールモノビニルエーテル、オクタデシルビニルエーテル等のモノビニルエーテル化合物等が挙げられる。
これらのビニルエーテル化合物のうち、硬化性、密着性、表面硬度の観点から、ジビニルエーテル化合物、トリビニルエーテル化合物が好ましく、特に、ジビニルエーテル化合物が好ましい。ビニルエーテル化合物は、１種を単独で使用してもよく、２種以上を適宜組み合わせて使用してもよい。
【０３１０】
本発明のインク組成物にラジカル重合性化合物が用いられる場合、インク組成物全固形分中、ラジカル重合性化合物は６０質量％以上含有することが好ましく、７０質量％以上含有することがより好ましい。尚、ラジカル重合性化合物の添加量の上限としては、９５質量％以下であることが好ましい。
【０３１１】
＜重合開始剤＞
本発明のインク組成物は重合開始剤を含有することを必須する。
使用する重合開始剤は、外部エネルギーを吸収して重合開始種を生成する化合物であればよく、併用する重合性化合物の種類に応じて、適宜選択することができる。
本発明のインク組成物に用いることのできる重合開始剤としては、光カチオン重合の光重合開始剤、光ラジカル重合の光重合開始剤、色素類の光消色剤、光変色剤、或いはマイクロレジスト等に使用されている光（４００ｎｍ〜２００ｎｍの紫外線、遠紫外線、特に好ましくは、ｇ線、ｈ線、ｉ線、ＫｒＦエキシマレーザー光）、ＡｒＦエキシマレーザー光、電子線、Ｘ線、分子線又はイオンビームなどの照射により酸を発生する化合物を適宜選択して使用することができる。
【０３１２】
−放射線の照射により酸を発生する化合物−
本発明において、例えば、重合性化合物として、カチオン重合性化合物が用いられる場合、重合開始剤としては、放射線の照射により酸を発生する化合物を用いることが好ましい。これらの化合物を用いることにより、放射線の照射により発生した酸により、前記したカチオン重合性化合物の重合反応が生起し、硬化する。
【０３１３】
このような重合開始剤としては、放射線の照射により分解して酸を発生する、ジアゾニウム塩、ホスホニウム塩、スルホニウム塩、ヨードニウム塩などのオニウム塩化合物、イミドスルホネート、オキシムスルホネート、ジアゾジスルホン、ジスルホン、ｏ−ニトロベンジルスルホネート等のスルホネート化合物などを挙げることができる。
【０３１４】
また、その他の活性光線又は放射線の照射により酸を発生する化合物としては、例えば、Ｓ．Ｉ．Ｓｃｈｌｅｓｉｎｇｅｒ，Ｐｈｏｔｏｇｒ．Ｓｃｉ．Ｅｎｇ．，１８，３８７（１９７４）、Ｔ．Ｓ．Ｂａｌ  ｅｔａｌ，Ｐｏｌｙｍｅｒ，２１，４２３（１９８０）等に記載のジアゾニウム塩、米国特許第４，０６９，０５５号、同４，０６９，０５６号、同Ｒｅ２７，９９２号、特開平３−１４０１４０号各公報等に記載のアンモニウム塩、Ｄ．Ｃ．Ｎｅｃｋｅｒ  ｅｔａｌ，Ｍａｃｒｏｍｏｌｅｃｕｌｅｓ，１７，２４６８（１９８４）、Ｃ．Ｓ．Ｗｅｎ  ｅｔａｌ，Ｔｅｈ，Ｐｒｏｃ．Ｃｏｎｆ．Ｒａｄ．Ｃｕｒｉｎｇ  ＡＳＩＡ，ｐ４７８ Ｔｏｋｙｏ，Ｏｃｔ（１９８８）、米国特許第４，０６９，０５５ 号、同４，０６９，０５６号等に記載のホスホニウム塩、Ｊ．Ｖ．Ｃｒｉｖｅｌｌｏ  ｅｔａｌ，Ｍａｃｒｏｍｏｒｅｃｕｌｅｓ，１０（６），１３０７（１９７７）、Ｃｈｅｍ．＆Ｅｎｇ．Ｎｅｗｓ，Ｎｏｖ．２８，ｐ３１（１９８８）、欧州特許第１０４，１４３号、同第３３９，０４９号、同第４１０，２０１号、特開平２−１５０８４８号、特開平２−２９６５１４号等に記載のヨードニウム塩、
【０３１５】
Ｊ．Ｖ．Ｃｒｉｖｅｌｌｏ  ｅｔａｌ，Ｐｏｌｙｍｅｒ  Ｊ．１７，７３（１９８５）、Ｊ．Ｖ．Ｃｒｉｖｅｌｌｏ  ｅｔａｌ．Ｊ．Ｏｒｇ．Ｃｈｅｍ．，４３，３０５５（１９７８）、Ｗ．Ｒ．Ｗａｔｔ  ｅｔａｌ，Ｊ．Ｐｏｌｙｍｅｒ  Ｓｃｉ．，ＰｏｌｙｍｅｒＣｈｅｍ．Ｅｄ．，２２，１７８９（１９８４）、Ｊ．Ｖ．Ｃｒｉｖｅｌｌｏ  ｅｔａｌ，Ｐｏｌｙｍｅｒ  Ｂｕｌｌ．，１４，２７９（１９８５）、Ｊ．Ｖ．Ｃｒｉｖｅｌｌｏ  ｅｔａｌ，Ｍａｃｒｏｍｏｒｅｃｕｌｅｓ，１４（５），１１４１（１９８１）、Ｊ．Ｖ．Ｃｒｉｖｅｌｌｏ  ｅｔａｌ，Ｊ．ＰｏｌｙｍｅｒＳｃｉ．，Ｐｏｌｙｍｅｒ  Ｃｈｅｍ．Ｅｄ．，１７，２８７７（１９７９）、欧州特許第３７０，６９３号、同１６１，８１１号、同４１０，２０１号、同３３９，０４９号、同２３３，５６７号、同２９７，４４３号、同２９７，４４２号、米国特許第３，９０２，１１４号、同４，９３３，３７７号、同４，７６０，０１３号、同４，７３４，４４４号、同２，８３３，８２７号、独国特許第２，９０４，６２６号、同３，６０４，５８０号、同３，６０４，５８１号、特開平７−２８２３７号、同８−２７１０２号等に記載のスルホニウム塩、
【０３１６】
Ｊ．Ｖ．Ｃｒｉｖｅｌｌｏ  ｅｔａｌ，Ｍａｃｒｏｍｏｒｅｃｕｌｅｓ，１０（６），１３０７（１９７７）、Ｊ．Ｖ．Ｃｒｉｖｅｌｌｏ  ｅｔａｌ，Ｊ．Ｐｏｌｙｍｅｒ  Ｓｃｉ．，Ｐｏｌｙｍｅｒ  Ｃｈｅｍ．Ｅｄ．，１７，１０４７（１９７９）等に記載のセレノニウム塩、Ｃ．Ｓ．Ｗｅｎ  ｅｔａｌ，Ｔｅｈ，Ｐｒｏｃ．Ｃｏｎｆ．Ｒａｄ．Ｃｕｒｉｎｇ  ＡＳＩＡ，ｐ４７８  Ｔｏｋｙｏ，Ｏｃｔ（１９８８）等に記載のアルソニウム塩等のオニウム塩、米国特許第３，９０５，８１５号、特公昭４６−４６０５号、特開昭４８−３６２８１号、特開昭５５−３２０７０号、特開昭６０−２３９７３６号、特開昭６１−１６９８３５号、特開昭６１−１６９８３７号、特開昭６２−５８２４１号、特開昭６２−２１２４０１号、特開昭６３−７０２４３号、特開昭６３−２９８３３９号等に記載の有機ハロゲン化合物、Ｋ．Ｍｅｉｅｒ  ｅｔ  ａｌ，Ｊ．Ｒａｄ．Ｃｕｒｉｎｇ，１３（４），２６（１９８６）、Ｔ．Ｐ．Ｇｉｌｌ  ｅｔ  ａｌ，Ｉｎｏｒｇ．Ｃｈｅｍ．，１９，３００７（１９８０）、Ｄ．Ａｓｔｒｕｃ，Ａｃｃ．Ｃｈｅｍ．Ｒｅｓ．，１９（１２），３７７（１９８６）、特開平２−１６１４４５号等に記載の有機金属／有機ハロゲン化物、
【０３１７】
Ｓ．Ｈａｙａｓｅ  ｅｔａｌ，Ｊ．Ｐｏｌｙｍｅｒ  Ｓｃｉ．，２５，７５３（１９８７）、Ｅ．Ｒｅｉｃｈｍａｎｉｓ  ｅｔａｌ，Ｊ．Ｐｈｏｌｙｍｅｒ  Ｓｃｉ．，Ｐｏｌｙｍｅｒ  Ｃｈｅｍ．Ｅｄ．，２３，１（１９８５）、Ｑ．Ｑ．Ｚｈｕ  ｅｔａｌ，Ｊ．Ｐｈｏｔｏｃｈｅｍ．，３６，８５，３９，３１７（１９８７）、Ｂ．Ａｍｉｔ  ｅｔａｌ，Ｔｅｔｒａｈｅｄｒｏｎ  Ｌｅｔｔ．，（２４）２２０５（１９７３）、Ｄ．Ｈ．Ｒ．Ｂａｒｔｏｎ  ｅｔａｌ，Ｊ．Ｃｈｅｍ．Ｓｏｃ．，３５７１（１９６５）、Ｐ．Ｍ．Ｃｏｌｌｉｎｓ  ｅｔａｌ，Ｊ．Ｃｈｅｍ．Ｓｏｃ．，Ｐｅｒｋｉｎ  Ｉ，１６９５（１９７５）、Ｍ．Ｒｕｄｉｎｓｔｅｉｎ  ｅｔａｌ，Ｔｅｔｒａｈｅｄｒｏｎ  Ｌｅｔｔ．，（１７），１４４５（１９７５）、Ｊ．Ｗ．Ｗａｌｋｅｒ  ｅｔａｌ，Ｊ．Ａｍ．Ｃｈｅｍ．Ｓｏｃ．，１１０，７１７０（１９８８）、Ｓ．Ｃ．Ｂｕｓｍａｎ  ｅｔａｌ，Ｊ．Ｉｍａｇｉｎｇ  Ｔｅｃｈｎｏｌ．，１１（４），１９１（１９８５）、Ｈ．Ｍ．Ｈｏｕｌｉｈａｎ  ｅｔａｌ，Ｍａｃｏｒｍｏｌｅｃｕｌｅｓ，２１，２００１（１９８８）、Ｐ．Ｍ．Ｃｏｌｌｉｎｓ  ｅｔａｌ，Ｊ．Ｃｈｅｍ．Ｓｏｃ．，Ｃｈｅｍ．Ｃｏｍｍｕｎ．，５３２（１９７２）、Ｓ．Ｈａｙａｓｅ  ｅｔａｌ，Ｍａｃｒｏｍｏｌｅｃｕｌｅｓ，１８，１７９９（１９８５）、Ｅ．Ｒｅｉｃｈｍａｎｉｓ  ｅｔａｌ，Ｊ．Ｅｌｅｃｔｒｏｃｈｅｍ．Ｓｏｃ．，Ｓｏｌｉｄ  Ｓｔａｔｅ  Ｓｃｉ．Ｔｅｃｈｎｏｌ．，１３０（６）、Ｆ．Ｍ．Ｈｏｕｌｉｈａｎ  ｅｔａｌ，Ｍａｃｒｏｍｏｌｃｕｌｅｓ，２１，２００１（１９８８）、 欧州特許第０２９０，７５０号、同０４６，０８３号、同１５６，５３５号、同２７１，８５１号、同０，３８８，３４３号、米国特許第３，９０１，７１０号、同４，１８１，５３１号、特開昭６０−１９８５３８号、特開昭５３−１３３０２２号等に記載のＯ−ニトロベンジル型保護基を有する重合開始剤、
【０３１８】
Ｍ．ＴＵＮＯＯＫＡ  ｅｔａｌ，Ｐｏｌｙｍｅｒ  Ｐｒｅｐｒｉｎｔｓ  Ｊａｐａｎ，３５（８）、Ｇ．Ｂｅｒｎｅｒ  ｅｔａｌ，Ｊ．Ｒａｄ．Ｃｕｒｉｎｇ，１３（４）、Ｗ．Ｊ．Ｍｉｊｓ  ｅｔａｌ，Ｃｏａｔｉｎｇ  Ｔｅｃｈｎｏｌ．，５５（６９７），４５（１９８３），Ａｋｚｏ、Ｈ．Ａｄａｃｈｉ  ｅｔａｌ，Ｐｏｌｙｍｅｒ  Ｐｒｅｐｒｉｎｔｓ，Ｊａｐａｎ，３７（３）、欧州特許第０１９９，６７２号、同８４５１５号、同０４４，１１５号、同第６１８，５６４号、同０１０１，１２２号、米国特許第４，３７１，６０５号、同４，４３１，７７４号、特開昭６４−１８１４３号、特開平２−２４５７５６号、特開平３−１４０１０９号等に記載のイミノスルフォネ−ト等に代表される光分解してスルホン酸を発生する化合物、特開昭６１−１６６５４４号、特開平２−７１２７０号等に記載のジスルホン化合物、特開平３−１０３８５４号、同３−１０３８５６号、同４−２１０９６０号等に記載のジアゾケトスルホン、ジアゾジスルホン化合物を挙げることができる。
【０３１９】
また、これらの光により酸を発生する基、或いは化合物をポリマーの主鎖又は側鎖に導入した化合物、例えば、Ｍ．Ｅ．Ｗｏｏｄｈｏｕｓｅ  ｅｔａｌ，Ｊ．Ａｍ．Ｃｈｅｍ．Ｓｏｃ．，１０４，５５８６（１９８２）、Ｓ．Ｐ．Ｐａｐｐａｓ  ｅｔａｌ，Ｊ．Ｉｍａｇｉｎｇ  Ｓｃｉ．，３０（５），２１８（１９８６）、Ｓ．Ｋｏｎｄｏ  ｅｔａｌ，Ｍａｋｒｏｍｏｌ．Ｃｈｅｍ．，Ｒａｐｉｄ  Ｃｏｍｍｕｎ．，９，６２５（１９８８）、Ｙ．Ｙａｍａｄａ  ｅｔａｌ，Ｍａｋｒｏｍｏｌ．Ｃｈｅｍ．，１５２，１５３，１６３（１９７２）、Ｊ．Ｖ．Ｃｒｉｖｅｌｌｏ  ｅｔａｌ，Ｊ．ＰｏｌｙｍｅｒＳｃｉ．，Ｐｏｌｙｍｅｒ  Ｃｈｅｍ．Ｅｄ．，１７，３８４５（１９７９）、米国特許第３，８４９，１３７号、独国特許第３，９１４，４０７号、特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号等に記載の化合物を用いることができる。例えば、ジアゾニウム塩、アンモニウム塩、ホスホニウム塩、ヨードニウム塩、スルホニウム塩、セレノニウム塩、アルソニウム塩等のオニウム塩、有機ハロゲン化合物、有機金属／有機ハロゲン化物、ｏ−ニトロベンジル型保護基を有する重合開始剤、イミノスルフォネート等に代表される光分解してスルホン酸を発生する化合物、ジスルホン化合物、ジアゾケトスルホン、ジアゾジスルホン化合物を挙げることができる。
【０３２０】
更にＶ．Ｎ．Ｒ．Ｐｉｌｌａｉ，Ｓｙｎｔｈｅｓｉｓ，（１），１（１９８０）、Ａ．Ａｂａｄ  ｅｔａｌ，Ｔｅｔｒａｈｅｄｒｏｎ  Ｌｅｔｔ．，（４７）４５５５（１９７１）、Ｄ．Ｈ．Ｒ．Ｂａｒｔｏｎ  ｅｔａｌ，Ｊ．Ｃｈｅｍ．Ｓｏｃ．，（Ｃ），３２９（１９７０）、米国特許第３，７７９，７７８号、欧州特許第１２６，７１２号等に記載の光により酸を発生する化合物も使用することができる。
【０３２１】
本発明に用いることができる重合開始剤として好ましい化合物として、下記式（ｂ１）、（ｂ２）、（ｂ３）で表される化合物を挙げることができる。
【０３２２】
【化５２】
2009235137.tif 000053
【０３２３】
上記式（ｂ１）〜（ｂ３）において、Ｒ２０１、Ｒ２０２及びＲ２０３は、各々独立に有機基を表す。また、Ｒ２０４、Ｒ２０５、Ｒ２０６、Ｒ２０７は各々独立に、アリール基、アルキル基又はシクロアルキル基を表す。
Ｘ−は、非求核性アニオンを表し、好ましくはスルホン酸アニオン、カルボン酸アニオ
ン、ビス（アルキルスルホニル）アミドアニオン、トリス（アルキルスルホニル）メチドアニオン、ＢＦ４−、ＰＦ６−、ＳｂＦ６−や以下に示す基などが挙げられ、好ましくは炭素原子を有する有機アニオンである。
【０３２４】
【化５３】
2009235137.tif 000054
【０３２５】
好ましい有機アニオンとしては下式に示す有機アニオンが挙げられる。
【０３２６】
【化５４】
2009235137.tif 000055
【０３２７】
Ｒｃ１は、有機基を表す。Ｒｃ１としては、炭素数１〜３０のものが挙げられ、好ましくはアルキル基、シクロアルキル基、アリール基、又はこれらの複数が、単結合、−Ｏ−、−ＣＯ２−、−Ｓ−、−ＳＯ３−、−ＳＯ２Ｎ（Ｒｄ１）−などの連結基で連結された基を挙げることができる。
【０３２８】
Ｒｄ１は、水素原子、炭素数１〜１０のアルキル基を表し、Ｒｃ３、Ｒｃ４、Ｒｃ５は、各々独立に、有機基を表し、Ｒｃ３、Ｒｃ４、Ｒｃ５の有機基として、好ましくはＲｃ１における好ましい有機基と同じものを挙げることができ、最も好ましくは炭素数１〜４のパーフロロアルキル基である。
また、Ｒｃ３とＲｃ４が結合して環を形成していてもよい。Ｒｃ３とＲｃ４が結合して形成される基としてはアルキレン基、アリーレン基が挙げられる。好ましくは炭素数２〜４のパーフロロアルキレン基である。
【０３２９】
Ｒｃ１、Ｒｃ３〜Ｒｃ５の有機基として、最も好ましくは１位がフッ素原子又はフロロアルキル基で置換されたアルキル基、フッ素原子又はフロロアルキル基で置換されたフェニル基である。フッ素原子又はフロロアルキル基を有することにより、光照射によって発生した酸の酸性度が上がり、感度が向上する。
【０３３０】
Ｒ２０１、Ｒ２０２及びＲ２０３としての有機基の炭素数は、一般的に１〜３０、好ましくは１〜２０である。また、Ｒ２０１〜Ｒ２０３のうち２つが結合して環構造を形成してもよく、環内に酸素原子、硫黄原子、エステル結合、アミド結合、カルボニル基を含んでいてもよい。Ｒ２０１〜Ｒ２０３の内の２つが結合して形成する基としては、アルキレン基（例えば、ブチレン基、ペンチレン基）を挙げることができる。
【０３３１】
Ｒ２０１、Ｒ２０２及びＲ２０３としての有機基の具体例としては、後述する化合物（ｂ１−１）、（ｂ１−２）、（ｂ１−３）における対応する基を挙げることができる。
【０３３２】
なお、前記式（ｂ１）で表される構造を複数有する化合物であってもよい。例えば、式（ｂ１）で表される化合物のＲ２０１〜Ｒ２０３のうち少なくともひとつが、式（ｂ１）で表される他の化合物におけるＲ２０１〜Ｒ２０３の少なくともひとつと直接、又は、連結基を介して結合した構造を有する化合物であってもよい。
【０３３３】
更に好ましい（ｂ１）成分として、以下に説明する化合物（ｂ１−１）、（ｂ１−２）、及び（ｂ１−３）を挙げることができる。
【０３３４】
化合物（ｂ１−１）は、上記式（ｂ１）のＲ２０１〜Ｒ２０３の少なくとも１つがアリール基である、アリールスルホニム化合物、即ち、アリールスルホニウムをカチオンとする化合物である。
【０３３５】
アリールスルホニウム化合物は、Ｒ２０１〜Ｒ２０３の全てがアリール基でもよいし、Ｒ２０１〜Ｒ２０３の一部がアリール基で、残りがアルキル基、シクロアルキル基でもよい。
【０３３６】
アリールスルホニウム化合物としては、例えば、トリアリールスルホニウム化合物、ジアリールアルキルスルホニウム化合物、アリールジアルキルスルホニウム化合物、ジアリールシクロアルキルスルホニウム化合物、アリールジシクロアルキルスルホニウム化合物等を挙げることができる。
【０３３７】
アリールスルホニウム化合物のアリール基としてはフェニル基、ナフチル基などのアリール基、インドール残基、ピロール残基、などのヘテロアリール基が好ましく、更に好ましくはフェニル基、インドール残基である。アリールスルホニム化合物が２つ以上のアリール基を有する場合に、２つ以上あるアリール基は同一であっても異なっていてもよい。
【０３３８】
アリールスルホニウム化合物が必要に応じて有しているアルキル基としては、炭素数１〜１５の直鎖又は分岐状アルキル基が好ましく、例えば、メチル基、エチル基、プロピル基、ｎ−ブチル基、ｓｅｃ−ブチル基、ｔ−ブチル基等を挙げることができる。
アリールスルホニウム化合物が必要に応じて有しているシクロアルキル基としては、炭素数３〜１５のシクロアルキル基が好ましく、例えば、シクロプロピル基、シクロブチル基、シクロヘキシル基等を挙げることができる。
【０３３９】
Ｒ２０１〜Ｒ２０３のアリール基、アルキル基、シクロアルキル基は、アルキル基（例えば炭素数１〜１５）、シクロアルキル基（例えば炭素数３〜１５）、アリール基（例えば炭素数６〜１４）、アルコキシ基（例えば炭素数１〜１５）、ハロゲン原子、水酸基、フェニルチオ基を置換基として有してもよい。好ましい置換基としては、炭素数１〜１２の直鎖又は分岐状アルキル基、炭素数３〜１２のシクロアルキル基、炭素数１〜１２の直鎖、分岐又は環状のアルコキシ基であり、最も好ましくは炭素数１〜４のアルキル基、炭素数１〜４のアルコキシ基である。置換基は、３つのＲ２０１〜Ｒ２０３のうち、いずれか１つに置換していてもよいし、３つ全てに置換していてもよい。また、Ｒ２０１〜Ｒ２０３がアリール基の場合に、置換基はアリール基のｐ−位に置換していることが好ましい。
【０３４０】
次に、化合物（ｂ１−２）について説明する。
化合物（ｂ１−２）は、式（ｂ１）におけるＲ２０１〜Ｒ２０３が、各々独立に、芳香環を含有しない有機基を表す場合の化合物である。ここで芳香環とは、ヘテロ原子を含有する芳香族環も包含するものである。
Ｒ２０１〜Ｒ２０３としての芳香環を含有しない有機基は、一般的に炭素数１〜３０、好ましくは炭素数１〜２０である。
Ｒ２０１〜Ｒ２０３は、各々独立に、好ましくはアルキル基、シクロアルキル基、アリル基、ビニル基であり、より好ましくは直鎖、分岐、環状２−オキソアルキル基、アルコキシカルボニルメチル基、特に好ましくは直鎖、分岐２−オキソアルキル基である。
【０３４１】
Ｒ２０１〜Ｒ２０３としてのアルキル基は、直鎖状、分岐状のいずれであってもよく、好ましくは、炭素数１〜１０の直鎖又は分岐アルキル基（例えば、メチル基、エチル基、プロピル基、ブチル基、ペンチル基）を挙げることができ、直鎖、分岐２−オキソアルキル基、アルコキシカルボニルメチル基がより好ましい。
【０３４２】
Ｒ２０１〜Ｒ２０３としてのシクロアルキル基は、好ましくは、炭素数３〜１０のシクロアルキル基（シクロペンチル基、シクロヘキシル基、ノルボニル基）を挙げることができ、環状２−オキソアルキル基がより好ましい。
【０３４３】
Ｒ２０１〜Ｒ２０３の直鎖、分岐、環状２−オキソアルキル基としては、好ましくは、上記のアルキル基、シクロアルキル基の２位に＞Ｃ＝Ｏを有する基を挙げることができる。
Ｒ２０１〜Ｒ２０３としてのアルコキシカルボニルメチル基におけるアルコキシ基としては、好ましくは炭素数１〜５のアルコキシ基（メトキシ基、エトキシ基、プロポキシ基、ブトキシ基、ペントキシ基）を挙げることができる。
Ｒ２０１〜Ｒ２０３は、ハロゲン原子、アルコキシ基（例えば炭素数１〜５）、水酸基、シアノ基、ニトロ基によって更に置換されていてもよい。
【０３４４】
化合物（ｂ１−３）とは、下記式（ｂ１−３）で表される化合物であり、フェナシルスルフォニウム塩構造を有する化合物である。
【０３４５】
【化５５】
2009235137.tif 000056
【０３４６】
上記式（ｂ１−３）において、Ｒ１ｃ〜Ｒ５ｃは、各々独立に、水素原子、アルキル基、シクロアルキル基、アルコキシ基、又はハロゲン原子を表す。
Ｒ６ｃ及びＲ７ｃは、各々独立に、水素原子、アルキル基又はシクロアルキル基を表す。
Ｒｘ及びＲｙは、各々独立に、アルキル基、シクロアルキル基、アリル基、又はビニル基を表す。
Ｒ１ｃ〜Ｒ５ｃ中のいずれか２つ以上、Ｒ６ｃとＲ７ｃ、及びＲｘとＲｙは、それぞれ結合して環構造を形成してもよい。
Ｚｃ−は、非求核性アニオンを表し、式（ｂ１）に於けるＸ−の非求核性アニオンと同様のものを挙げることができる。
【０３４７】
Ｒ１ｃ〜Ｒ７ｃとしてのアルキル基は、直鎖状、分岐状のいずれであってもよく、例えば炭素数１〜２０個、好ましくは炭素数１〜１２個の直鎖及び分岐アルキル基（例えば、メチル基、エチル基、直鎖又は分岐プロピル基、直鎖又は分岐ブチル基、直鎖又は分岐ペンチル基）を挙げることができる。
【０３４８】
Ｒ１ｃ〜Ｒ７ｃのシクロアルキル基として、好ましくは、炭素数３〜８個のシクロアルキル基（例えば、シクロペンチル基、シクロヘキシル基）を挙げることができる。
【０３４９】
Ｒ１ｃ〜Ｒ５ｃとしてのアルコキシ基は、直鎖、分岐、環状のいずれであってもよく、例えば炭素数１〜１０のアルコキシ基、好ましくは、炭素数１〜５の直鎖及び分岐アルコキシ基（例えば、メトキシ基、エトキシ基、直鎖又は分岐プロポキシ基、直鎖又は分岐ブトキシ基、直鎖又は分岐ペントキシ基）、炭素数３〜８の環状アルコキシ基（例えば、シクロペンチルオキシ基、シクロヘキシルオキシ基）を挙げることができる。
【０３５０】
Ｒ１ｃ〜Ｒ５ｃ中のいずれか２つ以上、Ｒ６ｃとＲ７ｃ、及びＲｘとＲｙが結合して形成する基としては、ブチレン基、ペンチレン基等を挙げることができる。この環構造は、酸素原子、硫黄原子、エステル結合、アミド結合を含んでいてもよい。
【０３５１】
好ましくはＲ１ｃ〜Ｒ５ｃのうちいずれかが直鎖状若しくは分岐状アルキル基、シクロアルキル基又は直鎖、分岐、環状アルコキシ基であり、更に好ましくはＲ１ｃからＲ５ｃの炭素数の和が２〜１５である。これにより、溶剤溶解性がより向上し、保存時にパーティクルの発生が抑制されるので好ましい。
【０３５２】
Ｒｘ及びＲｙとしてのアルキル基、シクロアルキル基は、Ｒ１ｃ〜Ｒ７ｃとしてのアルキル基、シクロアルキル基と同様のものを挙げることができる。
Ｒｘ及びＲｙは、２−オキソアルキル基、アルコキシカルボニルメチル基であることが好ましい。
２−オキソアルキル基は、Ｒ１ｃ〜Ｒ５ｃとしてのアルキル基、シクロアルキル基の２位に＞Ｃ＝Ｏを有する基を挙げることができる。
アルコキシカルボニルメチル基におけるアルコキシ基については、Ｒ１ｃ〜Ｒ５ｃとしてのアルコキシ基と同様のものを挙げることができる。
【０３５３】
Ｒｘ、Ｒｙは、好ましくは炭素数４個以上のアルキル基、シクロアルキル基であり、より好ましくは６個以上、更に好ましくは８個以上のアルキル基、シクロアルキル基である。
【０３５４】
式（ｂ２）、（ｂ３）中、Ｒ２０４〜Ｒ２０７は、各々独立に、アリール基、アルキル基又はシクロアルキル基を表す。Ｘ−は、非求核性アニオンを表し、式（ｂ１）に於けるＸ−の非求核性アニオンと同様のものを挙げることができる。
【０３５５】
Ｒ２０４〜Ｒ２０７のアリール基としてはフェニル基、ナフチル基が好ましく、更に好ましくはフェニル基である。
Ｒ２０４〜Ｒ２０７としてのアルキル基は、直鎖状、分岐状のいずれであってもよく、好ましくは、炭素数１〜１０の直鎖又は分岐アルキル基（例えば、メチル基、エチル基、プロピル基、ブチル基、ペンチル基）を挙げることができる。Ｒ２０４〜Ｒ２０７としてのシクロアルキル基は、好ましくは、炭素数３〜１０のシクロアルキル基（シクロペンチル基、シクロヘキシル基、ノルボニル基）を挙げることができる。
Ｒ２０４〜Ｒ２０７が有していてもよい置換基としては、例えば、アルキル基（例えば炭素数１〜１５）、シクロアルキル基（例えば炭素数３〜１５）、アリール基（例えば炭素数６〜１５）、アルコキシ基（例えば炭素数１〜１５）、ハロゲン原子、水酸基、フェニルチオ基等を挙げることができる。
【０３５６】
使用してもよい活性光線又は放射線の照射により酸を発生する化合物として、更に、下記式（ｂ４）、（ｂ５）、（ｂ６）で表される化合物を挙げることができる。
【０３５７】
【化５６】
2009235137.tif 000057
【０３５８】
式（ｂ４）〜（ｂ６）中、Ａｒ３及びＡｒ４は、各々独立に、アリール基を表す。
Ｒ２０８、Ｒ２０９及びＲ２１０は、各々独立に、炭素数１〜１６のアルキル基、シクロアルキル基又はアリール基を表す。
Ａは、アルキレン基、アルケニレン基又はアリーレン基を表す。
【０３５９】
放射線の照射により酸を発生する化合物の中でも好ましいものとしては、式（ｂ１）〜（ｂ３）で表される化合物を挙げることができる。これらの中でも、スルホニウム塩構造を有するものが好ましく、トリアリールスルホニウム塩構造を有するものがより好ましく、トリ（クロロフェニル）スルホニウム塩構造を有するものが特に好ましい。トリ（クロロフェニル）スルホニウム塩構造を有する重合開始剤としては、例えば、重合開始剤の好ましい化合物例として以下に列挙される、化合物例（ｂ−３７）〜（ｂ−４０）が挙げられる。
本発明に用いることのできる重合開始剤（放射線の照射により酸を発生する化合物）の好ましい化合物例〔（ｂ−１）〜（ｂ−９６）〕を以下に挙げるが、本発明はこれらに限定されるものではない。
【０３６０】
【化５７】
2009235137.tif 000058
【０３６１】
【化５８】
2009235137.tif 000059
【０３６２】
【化５９】
2009235137.tif 000060
【０３６３】
【化６０】
2009235137.tif 000061
【０３６４】
【化６１】
2009235137.tif 000062
【０３６５】
【化６２】
2009235137.tif 000063
【０３６６】
【化６３】
2009235137.tif 000064
【０３６７】
【化６４】
2009235137.tif 000065
【０３６８】
【化６５】
2009235137.tif 000066
【０３６９】
【化６６】
2009235137.tif 000067
【０３７０】
また、特開２００２−１２２９９４号公報、段落番号〔００２９〕乃至〔００３０〕に記載のオキサゾール誘導体、ｓ−トリアジン誘導体なども好適に用いられる。
特開２００２−１２２９９４号公報、段落番号〔００３７〕乃至〔００６３〕に例示されるオニウム塩化合物、スルホネート系化合物も本発明に好適に使用しうる。
【０３７１】
−ラジカル重合開始剤−
本発明において、例えば、重合性化合物として、ラジカル重合性化合物が用いられる場合、以下に示すような従来公知のラジカル重合開始剤を用いることが好ましい。これらの化合物を用いることにより、ラジカル重合開始剤から発生したラジカル等により、前記したラジカル重合性化合物の重合反応が生起し、硬化する。
【０３７２】
ラジカル重合開始剤としては、アセトフェノン誘導体、ベンゾフェノン誘導体、ベンジル誘導体、ベンゾイン誘導体、ベンゾインエーテル誘導体、ベンジルジアルキルケタール誘導体、チオキサントン誘導体、アシルフォスフィンオキサイド誘導体、金属錯体、ｐ−ジアルキルアミノ安息香酸、アゾ化合物、パーオキシド化合物等が一般的に知られ、中でも、アセトフェノン誘導体、ベンジル誘導体、ベンゾインエーテル誘導体、ベンジルジアルキルケタール誘導体、チオキサントン誘導体、アシルフォスフィンオキサイド誘導体が好ましく、アセトフェノン誘導体、ベンゾインエーテル誘導体、ベンジルジアルキルケタール誘導体、アシルフォスフィンオキサイド誘導体が特に好ましい。
【０３７３】
ラジカル重合開始剤の例としては、アセトフェノン、２，２−ジエトキシアセトフェノン、ｐ−ジメチルアミノアセトフェノン、ｐ−ジメチルアミノプロピオフェノン、ベンゾフェノン、ｐ，ｐ’−ジクロロベンゾフェノン、ｐ，ｐ’−ビスジエチルアミノベンゾフェノン、ミヒラーケトン、ベンジル、ベンゾイン、ベンゾインメチルエーテル、ベンゾインイソプロピルエーテル、ベンゾイン−ｎ−プロピルエーテル、ベンゾインイソブチルエーテル、ベンジルジメチルケタール、１−ヒドロキシ−シクロヘキシルフェニルケトン、テトラメチルチウラムモノサルファイド、チオキサントン、２−クロロチオキサントン、２，４−ジメチルチオキサントン、２，２−ジメチルプロピオイル ジフェニルフォスフィンオキサイド、２−メチル−２−エチルヘキサノイル ジフェニルフォスフィンオキサイド、２，６−ジメチルベンゾイル ジフェニルフォスフィンオキサイド、２，６−ジメトキシベンゾイル ジフェニルフォスフィンオキサイド、２，４，６−トリメチルベンゾイル ジフェニルフォスフィンオキサイド、ビス（２，６−ジメトキシベンゾイル）−２，４，４−トリメチルペンチルフォスフィンオキサイド、２，３，６−トリメチルベンゾイル−ジフェニルフォスフィンオキサイド、ビス（２，３，６−トリメチルベンゾイル）−フェニルフォスフィンオキサイド、２，４，６−トリメトキシベンゾイル−ジフェニルフォスフィンオキサイド、２，４，６−トリクロロベンゾイル ジフェニルフォスフィンオキサイド、２，４，６−トリメチルベンゾイル ナフチルフォスフォネート、ビス（η5−２,４−シクロペンタジエン−１−イル）−ビス（２,６−ジフルオロ−３−（１Ｈ−ピロール−１−イル）−フィニル）チタニウム、ｐ−ジメチルアミノ安息香酸、ｐ−ジエチルアミノ安息香酸、アゾビスイソブチロニトリル、１，１’−アゾビス（１−アセトキシ−１−フェニルエタン）、ベンゾインパーオキサイド、ジ−ｔｅｒｔ−ブチルパーオキサイド等が挙げられる。
【０３７４】
さらにラジカル重合開始剤の他の例としては、加藤清視著「紫外線硬化システム」（株式会社総合技術センター発行：平成元年）の第６５〜１４８頁に記載されている光重合開始剤などを挙げることができる。
これらの光重合開始剤は１種あるいは２種以上を組み合わせて用いることができ、後述する増感剤と併用してもよい。
【０３７５】
また、光重合開始剤は、８０℃まで熱分解を起こさないものであることが好ましい。８０℃以下で熱分解を起こす開始剤を用いると、製品保存上問題があるため好ましくない。
【０３７６】
重合開始剤は、１種単独で又は２種以上を組み合わせて使用することができる。
インク組成物中の重合開始剤の含有量は、インク組成物の全固形分換算で、０．１質量％〜２５質量％が好ましく、より好ましくは０．５質量％〜２０質量％、更に好ましくは１質量％〜１８質量％である。
【０３７７】
＜その他の成分＞
以下に、必要に応じて本発明に用いることのできる種々の添加剤について述べる。
−紫外線吸収剤−
本発明においては、得られる硬化物の耐候性向上、退色防止の観点から、紫外線吸収剤を用いることができる。
紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤、などが挙げられる。
添加量は目的に応じて適宜選択されるが、一般的には、固形分換算で０．５質量％〜１５質量％であることが好ましい。
【０３７８】
−増感剤−
増感剤は、単独では光照射によって活性化しないが、重合開始剤と一緒に使用した場合に重合開始剤単独で用いた場合よりも効果があるもので、一般にアミン類が用いられる。アミン類の添加により硬化速度が速くなるのは、第１に、水素引き抜き作用により重合開始剤に水素を供給するためであり、第２に、生成ラジカルが大気中の酸素分子と結合して反応性が悪くなるのに対して、アミンが組成中に溶け込んでいる酸素を捕獲する作用があるためである。
【０３７９】
増感剤として、具体的には、アミン化合物（脂肪族アミン、芳香族基を含むアミン、ピペリジン、エポキシ樹脂とアミンの反応生成物、トリエタノールアミントリアクリレートなど）、尿素化合物（アリルチオ尿素、ｏ−トリルチオ尿素など）、イオウ化合物（ナトリウムジエチルジチオホスフェート、芳香族スルフィン酸の可溶性塩など）、ニトリル系化合物（Ｎ，Ｎ−ジエチル−ｐ−アミノベンゾニトリルなど）、リン化合物（トリ−ｎ−ブチルホスフィン、ナトリウムジエチルジチオホスファイドなど）、窒素化合物（ミヒラーケトン、Ｎ−ニトリソヒドロキシルアミン誘導体、オキサゾリジン化合物、テトラヒドロ−１，３−オキサジン化合物、ホルムアルデヒドまたはアセトアルデヒドとジアミンの縮合物など）、塩素化合物（四塩化炭素、ヘキサクロロエタンなど）等が挙げられる。
【０３８０】
増感剤の使用量は、重合開始剤と増感剤の選定や組み合わせ、使用する重合性化合物等適宜選定でき、一般には、インク組成物に対し０〜１０質量％が好ましく、０．１〜１０質量％がより好ましく、０．２〜５質量％が特に好ましい。
【０３８１】
−酸化防止剤−
組成物の安定性向上のため、酸化防止剤を添加することができる。酸化防止剤としては、ヨーロッパ公開特許第２２３７３９号公報、同３０９４０１号公報、同第３０９４０２号公報、同第３１０５５１号公報、同第３１０５５２号公報、同第４５９４１６号公報、ドイツ公開特許第３４３５４４３号公報、特開昭５４−４８５３５号公報、同６２−２６２０４７号公報、同６３−１１３５３６号公報、同６３−１６３３５１号公報、特開平２−２６２６５４号公報、特開平２−７１２６２号公報、特開平３−１２１４４９号公報、特開平５−６１１６６号公報、特開平５−１１９４４９号公報、米国特許第４８１４２６２号明細書、米国特許第４９８０２７５号明細書等に記載のものを挙げることができる。
添加量は目的に応じて適宜選択されるが、固形分換算で０．１質量％〜８質量％であることが好ましい。
【０３８２】
−褪色防止剤−
本発明には、各種の有機系及び金属錯体系の褪色防止剤を使用することができる。前記有機系の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類、などが挙げられる。前記金属錯体系の褪色防止剤としては、ニッケル錯体、亜鉛錯体、などが挙げられ、具体的には、リサーチディスクロージャーＮｏ．１７６４３の第ＶＩＩのＩ〜Ｊ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や、特開昭６２−２１５２７２号公報の１２７頁〜１３７頁に記載された代表的化合物の一般式及び化合物例に含まれる化合物を使用することができる。
添加量は目的に応じて適宜選択されるが、固形分換算で０．１質量％〜８質量％であることが好ましい。
【０３８３】
−導電性塩類−
導電性塩類は、インク組成物に溶解させることで、導電性を向上させうる固体の化合物である。本発明のインク組成物をインクジェット記録用のインク組成物として用いる場合、吐出物性の制御を目的として添加されることが好ましい。本発明においては、インク組成物の保存時に析出する懸念が大きいために実質的に使用しないことが好ましいが、導電性塩類の溶解性を上げたり、インク組成物の液体成分に溶解性の高いものを用いたりすることで、溶解性が良好である場合には、適当量添加してもよい。導電性塩類の例としては、チオシアン酸カリウム、硝酸リチウム、チオシアン酸アンモニウム、ジメチルアミン塩酸塩などが挙げられる。
【０３８４】
−溶剤−
本発明のインク組成物をインクジェット記録用のインク組成物として用いる場合、被記録媒体との密着性を改良するため、極微量の有機溶剤を添加することも有効である。
溶剤としては、例えば、アセトン、メチルエチルケトン、ジエチルケトン等のケトン系溶剤、メタノール、エタノール、２−プロパノール、１−プロパノール、１−ブタノール、ｔｅｒｔ−ブタノール等のアルコール系溶剤、クロロホルム、塩化メチレン等の塩素系溶剤、ベンゼン、トルエン等の芳香族系溶剤、酢酸エチル、酢酸ブチル、酢酸イソプロピルなどのエステル系溶剤、ジエチルエーテル、テトラヒドロフラン、ジオキサン等のエーテル系溶剤、エチレングリコールモノメチルエーテル、エチレングリコールジメチルエーテル等のグリコールエーテル系溶剤などが挙げられる。
この場合、耐溶剤性やＶＯＣの問題が起こらない範囲での添加が有効であり、その量はインク組成物全体に対し、０質量％〜５質量％が好ましく、より好ましくは０質量％〜３質量％の範囲である。
【０３８５】
−高分子化合物−
本発明のインク組成物には、膜物性を調整するため、各種高分子化合物を添加することができる。
高分子化合物としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、ビニル系樹脂、アクリル系樹脂、ゴム系樹脂、ワックス類、その他の天然樹脂等が使用できる。また、これらは２種以上併用してもかまわない。これらのうち、アクリル系のモノマーの共重合によって得られるビニル系共重合が好ましい。更に、高分子結合材の共重合組成として、「カルボキシル基含有モノマー」、「メタクリル酸アルキルエステル」、又は「アクリル酸アルキルエステル」を構造単位として含む共重合体も好ましく用いられる。
【０３８６】
−界面活性剤−
本発明のインク組成物には、界面活性剤を添加してもよい。
界面活性剤としては、特開昭６２−１７３４６３号、同６２−１８３４５７号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第４級アンモニウム塩類等のカチオン性界面活性剤が挙げられる。なお、前記界面活性剤の代わりに有機フルオロ化合物を用いてもよい。前記有機フルオロ化合物は、疎水性であることが好ましい。前記有機フルオロ化合物としては、例えば、フッ素系界面活性剤、オイル状フッ素系化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載されたものが挙げられる。
【０３８７】
−貯蔵安定剤−
本発明のインク組成物は、貯蔵安定剤を含有していてもよい。
貯蔵安定剤は、インク組成物の保存中の好ましくない重合を抑制するもので、インク組成物に溶解できるものを用いる。例としては、４級アンモニウム塩、ヒドロキシアミン類、環状アミド類、ニトリル類、置換尿素類、複素環化合物、有機酸、ハイドロキノン、ハイドロキノンモノエーテル類、有機ホスフィン類、銅化合物などが挙げられ、具体的にはベンジルトリメチルアンモニウムクロライド、ジエチルヒドロキシルアミン、ベンゾチアゾール、４−アミノ−２，２，６，６−テトラメチルピペリジン、クエン酸、ハイドロキノンモノメチルエーテル、ハイドロキノンモノブチルエーテル、ナフテン酸銅などが挙げられる。
【０３８８】
貯蔵安定剤の使用量は用いる重合開始剤の活性や重合性化合物の重合性、貯蔵安定剤の種類に基づいて適宜調整するのが好ましいが、インク組成物中に０．００５〜１質量％が好ましく、０．０１〜０．５質量％がより好ましく、０．０１〜０．２質量％が更に好ましい。添加量が少ないと保存安定性が劣り、添加量が多いと硬化が起こりにくいといった問題が生じる。
【０３８９】
この他にも、必要に応じて、例えば、ｐＨ調整剤、レベリング添加剤、マット剤、消泡剤、膜物性を調整するためのワックス類、ポリオレフィンやＰＥＴ等の被記録媒体への密着性を改善するために、重合を阻害しないタッキファイヤーなどを含有させることができる。
タッキファイヤーとしては、具体的には、特開２００１−４９２００号公報の５〜６ｐに記載されている高分子量の粘着性ポリマー（例えば、（メタ）アクリル酸と炭素数１〜２０のアルキル基を有するアルコールとのエステル、（メタ）アクリル酸と炭素数３〜１４の脂環属アルコールとのエステル、（メタ）アクリル酸と炭素数６〜１４の芳香属アルコールとのエステルからなる共重合物）や、重合性不飽和結合を有する低分子量粘着付与性樹脂などである。
【０３９０】
本発明のインク組成物は、着色成分として、顔料および油溶性の染料（特定染料）を用いているが、顔料利用に伴う分散性悪化を考慮する必要がなく、インク組成物中により多くの染料を含有させることができる。また、特定染料は高い光堅牢性を有していることから、この特定染料を含有するインクは、良好な色調と高い光堅牢性を有することになる。
なお本発明では、異なる色の、顔料と油溶性染料を用いることで、色調の微調整や濃度の向上を達成しうるものである。シアン、マゼンタ、イエローのほか、特に顔料同士では色調の調整が困難なグリーン、オレンジおよびバイオレットの適用に有用である。
このような本発明のインク組成物は、紫外線などの放射線照射により硬化しており、その強度に優れると共に、高い光堅牢性を有し、膜厚の薄くとも鮮やかな発色が得られる。そのため、本発明のインク組成物は、画像形成のためのインク組成物や、平版印刷版のインク受容層（画像部）の形成や、コーティング材、シーリング材、エラストマーなど、種々の用途に適用することができる。
これらの中でも、得られた硬化物が発色性や光堅牢性に優れることから、インク組成物として用いられることが好ましい。
【０３９１】
本発明のインク組成物は、公知の記録方法（印刷方法）、印刷装置などに適用することで画像を形成することができる。画像を形成する際の本発明のインク組成物の粘度は、使用される記録方法、印刷装置により適宜決定されるが、一般的に、５〜１００ｍＰａ・ｓが好ましく、１０〜８０ｍＰａ・ｓがより好ましい。また、表面張力としては、２０〜６０ｍＮ／ｍが好ましく、３０〜５０ｍＮ／ｍがより好ましい。
【０３９２】
本発明のインク組成物は、放射線照射により高感度で硬化し、得られた硬化物が発色性や光堅牢性に優れ、高画質の画像を形成できる点から、特に、インクジェット記録用インクとして用いられることが好ましい。このように、本発明のインク組成物をインクジェット記録用インクとして用いる場合には、該インク組成物をインクジェットプリンターにより被記録媒体に吐出し、その後、吐出されたインク組成物に放射線を照射して硬化させることで、記録を行う。
【０３９３】
なお、本発明のインク組成物をインクジェット用インク組成物として使用する場合には、吐出性を考慮し、吐出時の温度（例えば、４０℃〜８０℃、好ましくは２５℃〜３０℃）において、粘度が、好ましくは７ｍＰａ・ｓ〜３０ｍＰａ・ｓであり、より好ましくは７ｍＰａ・ｓ〜２０ｍＰａ・ｓである。例えば、本発明のインク組成物の室温（２５℃〜３０℃）における粘度は、好ましくは３５〜５００ｍＰａ・ｓ、より好ましくは３５ｍＰａ・ｓ〜２００ｍＰａ・ｓである。本発明のインク組成物は、粘度が上記範囲になるように適宜組成比を調整することが好ましい。室温での粘度を高く設定することにより、多孔質な被記録媒体を用いた場合でも、被記録媒体中へのインク浸透を回避し、未硬化の重合性化合物の低減、臭気低減が可能となる。更にインク液滴着弾時のインクの滲みを抑えることができ、その結果として画質が改善されるので好ましい。
【０３９４】
また、本発明のインク組成物をインクジェット用インク組成物として使用する場合には、その表面張力は、好ましくは２０ｍＮ／ｍ〜３０ｍＮ／ｍ、より好ましくは２３ｍＮ／ｍ〜２８ｍＮ／ｍである。ポリオレフィン、ＰＥＴ、コート紙、非コート紙など様々な被記録媒体へ記録する場合、滲み及び浸透の観点から、２０ｍＮ／ｍ以上が好ましく、濡れ性の点はで３０ｍＮ／ｍ以下が好ましい。
【０３９５】
＜インクジェット記録方法＞
本発明のインク組成物が好ましく適用されるインクジェット記録方法について、以下説明する。
本発明のインク組成物を適用したインクジェット記録方法は、以下の２工程を含むことを特徴とする。
即ち、本発明のインク組成物を、被記録媒体（支持体、記録材料等）上にインクジェット記録装置により吐出する工程、及び、吐出されたインク組成物に活性放射線を照射してインク組成物を硬化する工程である。これらの工程を経て得られた硬化物が画像となる。
【０３９６】
本発明におけるインクジェット記録方法に適用しうる被記録媒体としては、特に制限はなく、通常の非コート紙、コート紙などの紙類、いわゆる軟包装に用いられる各種非吸収性樹脂材料或いは、それをフィルム状に成形した樹脂フィルムを用いることができ、各種プラスチックフィルムとしては、例えば、ＰＥＴフィルム、ＯＰＳフィルム、ＯＰＰフィルム、ＯＮｙフィルム、ＰＶＣフィルム、ＰＥフィルム、ＴＡＣフィルム等を挙げることができる。その他、被記録媒体材料として使用しうるプラスチックとしては、ポリカーボネート、アクリル樹脂、ＡＢＳ、ポリアセタール、ＰＶＡ、ゴム類などが挙げられる。また、金属類や、ガラス類も被記録媒体として使用可能である。
更に、本発明に適用しうる被記録媒体としては、平版印刷版の支持体も挙げられる。
なお、これらの被記録媒体は、インクジェット記録方法に関わらず、如何なる印刷方法にも適用することができる。
【０３９７】
また、本発明におけるインクジェット記録方法に適用される活性放射線には、α線、γ線、Ｘ線、紫外線、可視光線、赤外光線、電子線などが挙げられる。活性放射線のピーク波長は、２００〜６００ｎｍであることが好ましく、３００〜４５０ｎｍであることがより好ましく、３５０〜４２０ｎｍであることが更に好ましい。また、活性放射線の出力は、２，０００ｍＪ／ｃｍ２以下であることが好ましく、より好ましくは、１０〜２，０００ｍＪ／ｃｍ２であり、更に好ましくは、２０〜１，０００ｍＪ／ｃｍ２であり、特に好ましくは、５０〜８００ｍＪ／ｃｍ２である。
特に、本発明のインクジェット記録方法では、放射線照射が、発光波長ピークが３５０〜４２０ｎｍであり、且つ、前記被記録媒体表面での最高照度が１０〜２，０００ｍＷ／ｃｍ２となる紫外線を発生する発光ダイオードから照射されることが好ましい。
なお、これらの放射線照射については、インクジェット記録方法に関わらず、如何なる印刷方法にも適用することができる。
【０３９８】
（インクジェット記録装置）
本発明におけるインクジェット記録方法に適用しうるインクジェット記録装置としては、特に制限はなく、市販のインクジェット記録装置が使用できる。
インクジェット記録装置としては、例えば、インク供給系、温度センサー、前述のような放射線放射が可能な活性放射線源を含むものが挙げられる。
インク供給系は、例えば、本発明のインク組成物を含む元タンク、供給配管、インクジェットヘッド直前のインク供給タンク、フィルター、ピエゾ型のインクジェットヘッドからなるものが挙げられる。ピエゾ型のインクジェットヘッドは、１ｐｌ〜１００ｐｌ、好ましくは、８ｐｌ〜３０ｐｌのマルチサイズドットを、例えば、３２０ｄｐｉ×３２０ｄｐｉ〜４０００ｄｐｉ×４０００ｄｐｉ、好ましくは、４００ｄｐｉ×４００ｄｐｉ〜１６００ｄｐｉ×１６００ｄｐｉ、より好ましくは、７２０ｄｐｉ×７２０ｄｐｉの解像度で吐出できるよう駆動することができる。なお、本発明でいうｄｐｉとは、２．５４ｃｍ当たりのドット数を表す。
【０３９９】
本発明のインク組成物のような放射線硬化型インクは、吐出されるインクを一定温度にすることが望ましいことから、インク供給タンクからインクジェットヘッド部分までは、断熱及び加温を行うことができることが好ましい。温度コントロールの方法としては、特に制約はないが、例えば、温度センサーを各配管部位に複数設け、インク流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンター立上げ時間を短縮するため、或いは熱エネルギーのロスを低減するために、他部位との断熱を行うとともに、加熱ユニット全体の熱容量を小さくすることが好ましい。
【０４００】
本発明のインクは、着色成分として、顔料および油溶性の染料（特定染料）を、それぞれの色相を考慮して組み合わせて用いているが、このような手段をとることにより、顔料利用に伴う分散性悪化を考慮する必要がなく、インク中により多くの染料を含有させることができる。また、特定染料は高い光堅牢性を有していることから、この特定染料を含有するインクは、良好な色調と高い光堅牢性を有することになる。
なお本発明では、異なる色相、詳細には、Ｌ＊ａ＊ｂ＊値のうち、ａ＊値、ｂ＊値の値の鎖を考慮して選択した顔料と油溶性染料を用いることで、色調の微調整や濃度の向上を達成しうるものである。シアン、マゼンタ、イエローのほか、特に顔料同士では色調の調整が困難なグリーン、オレンジおよびバイオレットの適用に有用である。
このような本発明のインクは、紫外線などの放射線照射により硬化しており、その強度に優れると共に、高い光堅牢性を有し、膜厚の薄くとも鮮やかな発色が得られる。そのため、本発明のインクは、画像形成のためのインク組成物や、平版印刷版のインク受容層（画像部）の形成や、コーティング材、シーリング材、エラストマーなど、種々の用途に適用することができる。
これらの中でも、得られた硬化物が発色性や光堅牢性に優れることから、画像形成のためのインクとして用いられることが好ましい。
【実施例】
【０４０１】
以下、本発明の実施例を説明するが、本発明はこれらの実施例に何ら限定されるものではない。なお、以下において「部」及び「％」は、特に断りがない限り、「質量部」及び「質量％」を表す。
【０４０２】
（実施例１−１）
−インク１−１の作製−
以下の成分を高速水冷式攪拌機により撹拌し、オレンジ色のＵＶインクジェット用インク（インク１−１）を得た。
【０４０３】
（オレンジ色インク）
・ＤＰＧＤＡ                                                    ２０．１０部
・ＫＡＹＡＲＡＤ ＨＤＤＡ                                             ３１．９９部
（※日本化薬社製アクリレートモノマー）
・ＳＴ−１                                                        ０．４３部
・Ｅｂｅｃｒｙｌ  ６５７                                          ８．００部
・Ｒａｐｉ−Ｃｕｒｅ  ＤＶＥ−３                                  ８．００部
（ＩＳＰ  Ｅｕｒｏｐｅ社製、ビニルエーテル）
・Ｉｒｇａｃｕｒｅ  １８４                                        ４．００部
（Ｃｉｂａ  Ｓｐｅｃｉａｌｔｙ  Ｃｈｅｍｉｃａｌｓ社製、光重合開始剤）
・Ｌｕｃｉｒｉｎ  ＴＰＯ（ＢＡＳＦ社製、光重合開始剤）            ８．５０部
・ベンゾフェノン（光重合開始剤）                                  ３．００部
・Ｂｙｋ  ３０７（ＢＹＫ  Ｃｈｅｍｉｅ社製、消泡剤）              ０．０５部
・Ｓｏｌｓｐｅｒｓｅ  ２２０００（Ｎｏｖｅｏｎ社製、分散剤）      ０．１９部
・Ｓｏｌｓｐｅｒｓｅ  ３２０００（Ｎｏｖｅｏｎ社製、分散剤）      １．３７部
・ＮＰＧＤＡ                                                      ７．４７部
・特定油溶性染料（前記例示色素ＤＹＥ−Ａ４）                        １．１部
・特定油溶性染料（前記例示色素ＤＹＥ−Ｄ９）                        １．０部
・Ｐｉｇｍｅｎｔ  Ｏｒａｎｇｅ  ３６                                ４．８部
※ＫＡＹＡＲＡＤ ＨＤＤＡは１,６−ヘキサンジオールジアクリレート（２官能アクリレート）である。
【０４０４】
【化６７】
2009235137.tif 000068
【０４０５】
【化６８】
2009235137.tif 000069
【０４０６】
製造したオレンジ色インク１−１をＰＥＴ製のシート上に印刷し、そして鉄ドープ処理した紫外線ランプ（パワー１２０Ｗ／ｃｍ）の光線下に４０ｍ／ｍｉｎの速度で通過させることにより照射を行ってインクを硬化させ、印刷物を得た。
【０４０７】
（インクの評価）
前述のようにして得られたインク１−１（光硬化性組成物）の吐出安定性、及び保存安定性について、また、上記のようにして得られた印刷物の硬化性、及び耐光性について、以下のようにして評価を行った。
【０４０８】
（硬化性）
硬化性は、このインク１−１による印刷物の硬化後の画像部を触診により評価した。露光した塗布フィルムを、べたつきが無いものをＡ（良好）、べたつきが少しあるが接触したものを汚すほどではないものをＢ（許容）、べたつきが著しいものをＣ（不良）として評価した。
【０４０９】
（耐光性）
前述のようにして得られた印刷物の画像部に、ウェザーメーター（アトラスＣ．Ｉ６５）を用いて、キセノン光（１４００００ｌｘ）を１４日間照射し、キセノン照射前後の画像濃度を、反射濃度計（Ｘ−Ｒｉｔｅ３１０ＴＲ）を用いて測定し、色素残存率を評価した。
評価指標は以下の通りである。
Ａ：耐光性  良好（色素残存率  ＞８０％）。
Ｂ：耐光性  許容（色素残存率  ４０〜８０％）。
Ｃ：耐光性  不良（色素残存率  ＜４０％）。
【０４１０】
（吐出安定性）
前述のようにして得られたインクを３０分間連続吐出後、印字物上でノズル詰りによる欠陥（未印字部の有無）、印字ドット周辺の設定していない微小なドット（サテライト）の有無を目視により評価した。
評価指標は以下の通りである。
Ａ：ノズル欠陥及びサテライトの発生が無い。
Ｂ：ノズル欠陥又はサテライトが僅かに発生。
Ｃ：ノズル欠陥又はサテライトが顕著に発生。
【０４１１】
（保存安定性）
前述のようにして得られたインク１−１を、７５％ＲＨ、６０℃で３日保存した後、吐出温度でのインク粘度を測定し、インク粘度の増加分を、粘度比（保存後の粘度／保存前の粘度の比）として評価した。粘度が変化せず１．０に近いほうが保存安定性が良好であり、１．５を超えると射出時に目詰まりを起こす場合があり好ましくない。
Ａ：保存安定性良好（粘度比が１以上  １．２未満）。
Ｂ：保存安定性許容（粘度比が１．２以上  １．５未満）。
Ｃ：保存安定性不良（粘度比が１．５以上）。
【０４１２】
（実施例１−２及び比較例１）
＜インク１−２および１−３の作製＞
前記インク１−１の作製において、特定油溶性染料（例示色素ＤＹＥ−Ａ４、ＤＹＥ−Ｄ９）を、以下に記載の特定油溶性染料、又は添加せず顔料のみに代えた以外は、前記インク１−１の作製と同様にして、インク組成物を調製し、評価した。
【０４１３】
（実施例１−２）
＜インク１−２＞
特定油溶性染料として例示色素ＤＹＥ−Ａ４、ＤＹＥ−Ｄ９の代わりに例示色素ＤＹＥ−Ｂ２、ＤＹＥ−Ｄ１６を用いて、インク１−２を調製した。
【０４１４】
【化６９】
2009235137.tif 000070
【０４１５】
【化７０】
2009235137.tif 000071
【０４１６】
（比較例１）
＜インク１−３＞
特定油溶性染料を添加せず顔料のみを使用して、インク１−３を調製した。
【０４１７】
（実施例２−１）
−インク２−１の作製−
以下の成分を高速水冷式攪拌機により撹拌し、グリーン色のＵＶインクジェット用インク（インク２−１）を得た。
【０４１８】
（グリーン色インク）
・ＤＰＧＤＡ                                                    ２０．８８部
・ＫＡＹＡＲＡＤ ＨＤＤＡ                                       ３０．９９部
（※日本化薬社製アクリレートモノマー）
・ＳＴ−１                                                        １．１８部
・Ｅｂｅｃｒｙｌ  ６５７                                          ８．７０部
・Ｒａｐｉ−Ｃｕｒｅ  ＤＶＥ−３                                １０．４０部
（ＩＳＰ  Ｅｕｒｏｐｅ社製、ビニルエーテル）
・Ｉｒｇａｃｕｒｅ  １８４                                        ３．００部
（Ｃｉｂａ  Ｓｐｅｃｉａｌｔｙ  Ｃｈｅｍｉｃａｌｓ社製、光重合開始剤）
・Ｌｕｃｉｒｉｎ  ＴＰＯ（ＢＡＳＦ社製、光重合開始剤）            ８．５０部
・ベンゾフェノン（光重合開始剤）                                  ２．００部  
・Ｂｙｋ  ３０７（ＢＹＫ  Ｃｈｅｍｉｅ社製、消泡剤）              ０．１０部
・Ｓｏｌｓｐｅｒｓｅ  ５０００（Ｎｏｖｅｏｎ社製、分散剤）        ０．０７部
・Ｓｏｌｓｐｅｒｓｅ  ３２０００（Ｎｏｖｅｏｎ社製、分散剤）      ２．０２部
・ＮＰＧＤＡ                                                      ６．３７部
・特定油溶性染料（前記例示色素ＤＹＥ−Ａ４）                      ０．７０部
・特定油溶性染料（前記例示色素ＤＹＥ−Ｖ１０１）                  ０．６９部
・Ｐｉｇｍｅｎｔ  Ｇｒｅｅｎ  ７                                  ３．４０部
※ＫＡＹＡＲＡＤ ＨＤＤＡは１,６−ヘキサンジオールジアクリレート（２官能アクリレート）である。
【０４１９】
【化７１】
2009235137.tif 000072
【０４２０】
製造したグリーン色インク２−１を用い、前記インク１−１の作製と同様にして、インク組成物を調製し、同様に評価した。
【０４２１】
（実施例２−２及び比較例２）
＜インク２−２および２−３の作製＞
前記インク２−１の作製において、特定油溶性染料（例示色素ＤＹＥ−Ａ４、ＤＹＥ−Ｖ１０１）を、以下に記載の特定油溶性染料、又は添加せず顔料のみに代えた以外は、前記インク２−１の作製と同様にして、インク組成物を調製し、評価した。
【０４２２】
（実施例２−２）
＜インク２−２＞
特定油溶性染料として例示色素ＤＹＥ−Ａ４、ＤＹＥ−Ｖ１０１の代わりに例示色素ＤＹＥ−Ｂ２、ＤＹＥ−ＶＩ１０１を用いて、インク１−２を調製した。
【０４２３】
【化７２】
2009235137.tif 000073
【０４２４】
（比較例２）
＜インク２−３＞
特定油溶性染料を添加せず顔料のみを使用して、インク２−３を調製した。
【０４２５】
（実施例３−１）
−インク３−１の作製−
以下の成分を高速水冷式攪拌機により撹拌し、バイオレット色のＵＶインクジェット用インク（インク３−１）を得た。
【０４２６】
（バイオレット色インク）
・ＤＰＧＤＡ                                                    ２０．３７部
・ＫＡＹＡＲＡＤ ＨＤＤＡ                                       ３５．００部
（※日本化薬社製アクリレートモノマー）
・ＳＴ−１                                                        ０．８６部
・Ｅｂｅｃｒｙｌ  ６５７                                        １２．６９部
・Ｒａｐｉ−Ｃｕｒｅ  ＤＶＥ−３                                  ９．４３部
（ＩＳＰ  Ｅｕｒｏｐｅ社製、ビニルエーテル）
・Ｉｒｇａｃｕｒｅ  １８４                                        １．８８部
（Ｃｉｂａ  Ｓｐｅｃｉａｌｔｙ  Ｃｈｅｍｉｃａｌｓ社製、光重合開始剤）
・Ｌｕｃｉｒｉｎ  ＴＰＯ（ＢＡＳＦ社製、光重合開始剤）            ８．０１部
・ベンゾフェノン（光重合開始剤）                                  ２．８２部
・Ｂｙｋ  ３０７（ＢＹＫ  Ｃｈｅｍｉｅ社製、消泡剤）              ０．１０部
・Ｓｏｌｓｐｅｒｓｅ  ３２０００（Ｎｏｖｅｏｎ社製、分散剤）      ０．４７部
・ＮＰＧＤＡ                                                      ５．１９部
・特定油溶性染料（前記例示色素ＤＹＥ−Ｄ９）                      ０．４４部
・特定油溶性染料（前記例示色素ＤＹＥ−Ｖ１０１）                  ０．４４部
・Ｐｉｇｍｅｎｔ  Ｖｉｏｌｅｔ  ２３                              ２．３０部
※ＫＡＹＡＲＡＤ ＨＤＤＡは１,６−ヘキサンジオールジアクリレート（２官能アクリレート）である。
【０４２７】
製造したバイオレット色インク３−１を用い、前記インク１−１の作製と同様にして、インク組成物を調製し、同様に評価した。
【０４２８】
（実施例３−２及び比較例３）
＜インク３−２および３−３の作製＞
前記インク３−１の作製において、特定油溶性染料（例示色素ＤＹＥ−Ｄ９、ＤＹＥ−Ｖ１０１）を、以下に記載の特定油溶性染料、又は添加せず顔料のみに代えた以外は、前記インク３−１の作製と同様にして、インク組成物を調製し、評価した。
【０４２９】
（実施例３−２）
＜インク３−２＞
特定油溶性染料として例示色素ＤＹＥ−Ｄ９、ＤＹＥ−Ｖ１０１の代わりに例示色素ＤＹＥ−Ｄ２９、ＤＹＥ−ＶＩ１１４を用いて、インク３−２を調製した。
【０４３０】
【化７３】
2009235137.tif 000074
【０４３１】
【化７４】
2009235137.tif 000075
【０４３２】
（比較例３）
＜インク３−３＞
特定油溶性染料を添加せず顔料のみを使用して、インク３−３を調製した。
【０４３３】
実施例１−１〜３−２、及び、比較例１〜３における評価結果を下記表１にまとめて示す。
【０４３４】
【表１】
2009235137.tif 000076
【０４３５】
表１の結果から明らかなように、一般式（Ｉ）〜（VII）で表される化合物を含むインク（インク１−１，１−２，２−１，２−２，３−１，３−２）は、従来の顔料のみを用いたインク（インク１−３、２−３、３−３）と比較し、硬化性や耐光性、保存安定性は同等性能でありながら、問題であった吐出安定性が大きく改善したことが分かる。
また、Ｌ＊ａ＊ｂ＊値を比較しても、前述の諸性能が同等性能を維持しながら、色調がより好ましい方向に改善していることが分かる。